(57)【特許請求の範囲】
【請求項１】
無線通信のための方法であって、
第１のネットワークからデバイスへメッセージを提供することと、ここで、前記メッセージは、第２のネットワークへのアクセスのための１または複数のパラメータを備える、
前記第１のネットワークによって提供された前記１または複数のパラメータに基づいて、前記デバイスに対して、前記第１のネットワークから前記第２のネットワークへ切り換わるように指示することと、
前記第１のネットワークによって提供された前記１または複数のパラメータに基づいて、前記デバイスに対して、前記第２のネットワークにおいてランダム・アクセスを実行するように指示することと、ここで、前記１または複数のパラメータは、前記第２のネットワークにおけるランダム・アクセスに与えるための優先度パラメータを備える、
を備え、
前記優先度パラメータは、前記第２のネットワークにおいてランダム・アクセスを実行することが、
前記第２のネットワークにおいて別のランダム・アクセスを実行することよりも高い優先度、
アクセス・クラス除外を無視すること、
異なるアクセス・クラスを適用すること、および
前記第２のパラメータがランダム・アクセスを試みることの優先付けにおいて使用し得るパラメータを配信すること、
のうちの少なくとも１つを備えることを示すインジケーションを提供する、方法。
【請求項２】
前記メッセージは、前記デバイスに対して、前記第１のネットワークから前記第２のネットワークへ切り換わるように指示する、前記１または複数のパラメータを有するリダイレクション・メッセージを備える、請求項１に記載の方法。
【請求項３】
前記優先度パラメータは、前記第２のネットワークにおいてランダム・アクセスを実行することが、前記第２のネットワークにおいて別のランダム・アクセスを実行することよりも高い優先度を備えていることを示すインジケーションを提供する、請求項１に記載の方法。
【請求項４】
前記優先度パラメータは、前記第２のネットワークにおいてランダム・アクセスを実行することが、アクセス・クラス除外を無視することと、別のアクセス・クラスを適用することとのうちの少なくとも１つを備えることを示すインジケーションを提供する、請求項１に記載の方法。
【請求項５】
前記優先度パラメータは、前記第２のネットワークにおいてランダム・アクセスを実行することが、前記第２のネットワークがランダム・アクセスを試みることの優先付けにおいて使用しうるパラメータを配信すること備えていることを示すインジケーションを提供する、請求項１に記載の方法。
【請求項６】
前記第１のネットワークによって提供された前記１または複数のパラメータは、アクセス・クラス・パラメータとアクセス・サービス・クラス・パラメータとのうちの少なくとも１つを備える、請求項１に記載の方法。
【請求項７】
前記第１のネットワークによって提供された前記１または複数のパラメータは、確立原因パラメータを備える、請求項１に記載の方法。
【請求項８】
前記第１のネットワークによって提供された前記１または複数のパラメータは、前記第２のネットワークによって前記第１のネットワークへ提供される１または複数の値を含む、請求項１に記載の方法。
【請求項９】
前記メッセージはさらに、前記パラメータと前記デバイスとの間の１または複数の関連付けを備える、請求項１に記載の方法。
【請求項１０】
前記パラメータとデバイスとの間の１または複数の関連付けは、前記デバイスが、別のアクセス・クラスの使用を一時的に許可するか否かを示すインジケーションを提供する、請求項９に記載の方法。
【請求項１１】
前記第１のネットワークによって提供された前記１または複数のパラメータは、前記第２のネットワークにおけるランダム・アクセスのために、前記デバイスによって使用されるラジオ・リソースに影響を与える、請求項１に記載の方法。
【請求項１２】
前記第１のネットワークは、ロング・ターム・イボリューション（ＬＴＥ）ベースのネットワークを備える、請求項１に記載の方法。
【請求項１３】
前記第２のネットワークは、ユニバーサル・モバイル・テレコミュニケーション・システム（ＵＭＴＳ）ベースのネットワークまたはグローバル移動体通信システム（ＧＳＭ）ベースのネットワークを備える、請求項１に記載の方法。
【請求項１４】
無線通信のための装置であって、
第１のネットワークからデバイスへメッセージを提供することと、ここで、前記メッセージは、第２のネットワークへのアクセスのための１または複数のパラメータを備える、
前記第１のネットワークによって提供された前記１または複数のパラメータに基づいて、前記デバイスに対して、前記第１のネットワークから前記第２のネットワークへ切り換わるように指示することと、
前記第１のネットワークによって提供された前記１または複数のパラメータに基づいて、前記デバイスに対して、前記第２のネットワークにおいてランダム・アクセスを実行するように指示することと、ここで、前記１または複数のパラメータは、前記第２のネットワークにおけるランダム・アクセスに与えるための優先度パラメータを備える、
を行うように構成されたプロセッサ・システム、を備え、
前記優先度パラメータは、前記第２のネットワークにおいてランダム・アクセスを実行することが、
前記第２のネットワークにおいて別のランダム・アクセスを実行することよりも高い優先度、
アクセス・クラス除外を無視すること、
異なるアクセス・クラスを適用すること、および
前記第２のパラメータがランダム・アクセスを試みることの優先付けにおいて使用し得るパラメータを配信すること、
のうちの少なくとも１つを備えることを示すインジケーションを提供する、装置。
【請求項１５】
前記メッセージは、前記デバイスに対して、前記第１のネットワークから前記第２のネットワークへ切り換わるように指示する、前記１または複数のパラメータを有するリダイレクション・メッセージを備える、請求項１４に記載の装置。
【請求項１６】
前記優先度パラメータは、前記第２のネットワークにおいてランダム・アクセスを実行することが、前記第２のネットワークにおいて別のランダム・アクセスを実行することよりも高い優先度を備えていることを示すインジケーションを提供する、請求項１４に記載の装置。
【請求項１７】
前記優先度パラメータは、前記第２のネットワークにおいてランダム・アクセスを実行することが、アクセス・クラス除外を無視することと、別のアクセス・クラスを適用することとのうちの少なくとも１つを備えることを示すインジケーションを提供する、請求項１４に記載の装置。
【請求項１８】
前記優先度パラメータは、前記第２のネットワークにおいてランダム・アクセスを実行することが、前記第２のネットワークがランダム・アクセスを試みることの優先付けにおいて使用しうるパラメータを配信すること備えていることを示すインジケーションを提供する、請求項１４に記載の装置。
【請求項１９】
前記第１のネットワークによって提供された前記１または複数のパラメータは、アクセス・クラス・パラメータとアクセス・サービス・クラス・パラメータとのうちの少なくとも１つを備える、請求項１４に記載の装置。
【請求項２０】
前記第１のネットワークによって提供された前記１または複数のパラメータは、確立原因パラメータを備える、請求項１４に記載の装置。
【請求項２１】
前記第１のネットワークによって提供された前記１または複数のパラメータは、前記第２のネットワークによって前記第１のネットワークへ提供される１または複数の値を含む、請求項１４に記載の装置。
【請求項２２】
前記メッセージはさらに、前記パラメータと前記デバイスとの間の１または複数の関連付けを備える、請求項１４に記載の装置。
【請求項２３】
前記パラメータとデバイスとの間の１または複数の関連付けは、前記デバイスが、別のアクセス・クラスの使用を一時的に許可するか否かを示すインジケーションを提供する、請求項２２に記載の装置。
【請求項２４】
前記第１のネットワークによって提供された前記１または複数のパラメータは、前記第２のネットワークにおけるランダム・アクセスのために、前記デバイスによって使用されるラジオ・リソースに影響を与える、請求項１４に記載の装置。
【請求項２５】
前記第１のネットワークは、ロング・ターム・イボリューション（ＬＴＥ）ベースのネットワークを備える、請求項１４に記載の装置。
【請求項２６】
前記第２のネットワークは、ユニバーサル・モバイル・テレコミュニケーション・システム（ＵＭＴＳ）ベースのネットワークまたはグローバル移動体通信システム（ＧＳＭ）ベースのネットワークを備える、請求項１４に記載の装置。
【請求項２７】
無線通信のための装置であって、
第１のネットワークからデバイスへメッセージを提供する手段と、ここで、前記メッセージは、第２のネットワークへのアクセスのための１または複数のパラメータを備える、
前記第１のネットワークによって提供された前記１または複数のパラメータに基づいて、前記デバイスに対して、前記第１のネットワークから前記第２のネットワークへ切り換わるように指示する手段と、
前記第１のネットワークによって提供された前記１または複数のパラメータに基づいて、前記デバイスに対して、前記第２のネットワークにおいてランダム・アクセスを実行するように指示する手段と、ここで、前記１または複数のパラメータは、前記第２のネットワークにおけるランダム・アクセスに与えるための優先度パラメータを備える、
を備え、
前記優先度パラメータは、前記第２のネットワークにおいてランダム・アクセスを実行することが、
前記第２のネットワークにおいて別のランダム・アクセスを実行することよりも高い優先度、
アクセス・クラス除外を無視すること、
異なるアクセス・クラスを適用すること、および
前記第２のパラメータがランダム・アクセスを試みることの優先付けにおいて使用し得るパラメータを配信すること、
のうちの少なくとも１つを備えることを示すインジケーションを提供する、装置。
【請求項２８】
前記メッセージは、前記デバイスに対して、前記第１のネットワークから前記第２のネットワークへ切り換わるように指示する、前記１または複数のパラメータを有するリダイレクション・メッセージを備える、請求項２７に記載の装置。
【請求項２９】
前記優先度パラメータは、前記第２のネットワークにおいてランダム・アクセスを実行することが、前記第２のネットワークにおいて別のランダム・アクセスを実行することよりも高い優先度を備えていることを示すインジケーションを提供する、請求項２７に記載の装置。
【請求項３０】
前記優先度パラメータは、前記第２のネットワークにおいてランダム・アクセスを実行することが、アクセス・クラス除外を無視することと、別のアクセス・クラスを適用することとのうちの少なくとも１つを備えることを示すインジケーションを提供する、請求項２７に記載の装置。
【請求項３１】
前記優先度パラメータは、前記第２のネットワークにおいてランダム・アクセスを実行することが、前記第２のネットワークがランダム・アクセスを試みることの優先付けにおいて使用しうるパラメータを配信すること備えていることを示すインジケーションを提供する、請求項２７に記載の装置。
【請求項３２】
前記第１のネットワークによって提供された前記１または複数のパラメータは、アクセス・クラス・パラメータとアクセス・サービス・クラス・パラメータとのうちの少なくとも１つを備える、請求項２７に記載の装置。
【請求項３３】
前記第１のネットワークによって提供された前記１または複数のパラメータは、確立原因パラメータを備える、請求項２７に記載の装置。
【請求項３４】
前記第１のネットワークによって提供された前記１または複数のパラメータは、前記第２のネットワークによって前記第１のネットワークへ提供される１または複数の値を含む、請求項２７に記載の装置。
【請求項３５】
前記メッセージはさらに、前記パラメータと前記デバイスとの間の１または複数の関連付けを備える、請求項２７に記載の装置。
【請求項３６】
前記パラメータとデバイスとの間の１または複数の関連付けは、前記デバイスが、別のアクセス・クラスの使用を一時的に許可するか否かを示すインジケーションを提供する、請求項３５に記載の装置。
【請求項３７】
前記第１のネットワークによって提供された前記１または複数のパラメータは、前記第２のネットワークにおけるランダム・アクセスのために、前記デバイスによって使用されるラジオ・リソースに影響を与える、請求項２７に記載の装置。
【請求項３８】
前記第１のネットワークは、ロング・ターム・イボリューション（ＬＴＥ）ベースのネットワークを備える、請求項２７に記載の装置。
【請求項３９】
前記第２のネットワークは、ユニバーサル・モバイル・テレコミュニケーション・システム（ＵＭＴＳ）ベースのネットワークまたはグローバル移動体通信システム（ＧＳＭ）ベースのネットワークを備える、請求項２７に記載の装置。
【請求項４０】
コンピュータ・プログラムであって、
第１のネットワークからデバイスへメッセージを提供することと、ここで、前記メッセージは、第２のネットワークへのアクセスのための１または複数のパラメータを備える、
前記第１のネットワークによって提供された前記１または複数のパラメータに基づいて、前記デバイスに対して、前記第１のネットワークから前記第２のネットワークへ切り換わるように指示することと、
前記第１のネットワークによって提供された前記１または複数のパラメータに基づいて、前記デバイスに対して、前記第２のネットワークにおいてランダム・アクセスを実行するように指示することと、ここで、前記１または複数のパラメータは、前記第２のネットワークにおけるランダム・アクセスに与えるための優先度パラメータを備える、
を装置に対して行わせるように実行可能なコードを備え、
前記優先度パラメータは、前記第２のネットワークにおいてランダム・アクセスを実行することが、
前記第２のネットワークにおいて別のランダム・アクセスを実行することよりも高い優先度、
アクセス・クラス除外を無視すること、
異なるアクセス・クラスを適用すること、および
前記第２のパラメータがランダム・アクセスを試みることの優先付けにおいて使用し得るパラメータを配信すること、
のうちの少なくとも１つを備えることを示すインジケーションを提供する、コンピュータ・プログラム。
【請求項４１】
前記メッセージは、前記デバイスに対して、前記第１のネットワークから前記第２のネットワークへ切り換わるように指示する、前記１または複数のパラメータを有するリダイレクション・メッセージを備える、請求項４０に記載のコンピュータ・プログラム。
【請求項４２】
前記優先度パラメータは、前記第２のネットワークにおいてランダム・アクセスを実行することが、前記第２のネットワークにおいて別のランダム・アクセスを実行することよりも高い優先度を備えていることを示すインジケーションを提供する、請求項４０に記載のコンピュータ・プログラム。
【請求項４３】
前記優先度パラメータは、前記第２のネットワークにおいてランダム・アクセスを実行することが、アクセス・クラス除外を無視することと、別のアクセス・クラスを適用することとのうちの少なくとも１つを備えることを示すインジケーションを提供する、請求項４０に記載のコンピュータ・プログラム。
【請求項４４】
前記優先度パラメータは、前記第２のネットワークにおいてランダム・アクセスを実行することが、前記第２のネットワークがランダム・アクセスを試みることの優先付けにおいて使用しうるパラメータを配信すること備えていることを示すインジケーションを提供する、請求項４０に記載のコンピュータ・プログラム。
【請求項４５】
前記第１のネットワークによって提供された前記１または複数のパラメータは、アクセス・クラス・パラメータとアクセス・サービス・クラス・パラメータとのうちの少なくとも１つを備える、請求項４０に記載のコンピュータ・プログラム。
【請求項４６】
前記第１のネットワークによって提供された前記１または複数のパラメータは、確立原因パラメータを備える、請求項４０に記載のコンピュータ・プログラム。
【請求項４７】
前記第１のネットワークによって提供された前記１または複数のパラメータは、前記第２のネットワークによって前記第１のネットワークへ提供される１または複数の値を含む、請求項４０に記載のコンピュータ・プログラム。
【請求項４８】
前記メッセージはさらに、前記パラメータと前記デバイスとの間の１または複数の関連付けを備える、請求項４０に記載のコンピュータ・プログラム。
【請求項４９】
前記パラメータとデバイスとの間の１または複数の関連付けは、前記デバイスが、別のアクセス・クラスの使用を一時的に許可するか否かを示すインジケーションを提供する、請求項４８に記載のコンピュータ・プログラム。
【請求項５０】
前記第１のネットワークによって提供された前記１または複数のパラメータは、前記第２のネットワークにおけるランダム・アクセスのために、前記デバイスによって使用されるラジオ・リソースに影響を与える、請求項４０に記載のコンピュータ・プログラム。
【請求項５１】
前記第１のネットワークは、ロング・ターム・イボリューション（ＬＴＥ）ベースのネットワークを備える、請求項４０に記載のコンピュータ・プログラム。
【請求項５２】
前記第２のネットワークは、ユニバーサル・モバイル・テレコミュニケーション・システム（ＵＭＴＳ）ベースのネットワークまたはグローバル移動体通信システム（ＧＳＭ）ベースのネットワークを備える、請求項４０に記載のコンピュータ・プログラム。
【発明の詳細な説明】
【関連出願に対する相互参照】
【０００１】
本願は、２０１０年６月２５日に出願された「ネットワーク・アクセス・パラメータ」（Network Access Parameters）と題された米国仮出願６１／３５８，８１７号と、２０１１年６月２３日に出願された米国特許出願１３／１６７，５８２号とに対する優先権および利益を主張する。これらはともに、全体が本明細書において参照によって明確に組み込まれる。
【技術分野】
【０００２】
本開示は、一般に、通信に関し、特に、無線通信システムにおいてネットワーク・アクセス・パラメータを利用することに関する。
【背景技術】
【０００３】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、時分割同時符号分割多元接続（ＴＤ−ＳＣＤＭＡ）システム、および、ワールド・ワイド・インタオペラビリティ・フォー・マクロウェーブ・アクセス（ＷｉＭＡＸ）を含む。
【０００４】
無線通信システムのために、これら多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対するエンハンスメントのセットを提供する。ＬＴＥは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。好適には、これらの改善は、これらの技術を適用するその他の多元接続技術および通信規格に適用可能であるべきである。
【０００５】
さらに、無線通信ネットワークは、地理的領域内のユーザに対して、さまざまなタイプのサービスを提供するために定義された地理的領域にわたって展開されうる。（例えば、異なるセルに対応する）アクセス・ポイントが、ネットワークにわたって分散され、このネットワークによってサービス提供される地理的領域内で動作するアクセス端末（例えば、セル電話）のために無線接続を提供する。
【０００６】
アクセス端末は、任意の時点において、これらアクセス・ポイントのうちの所与の１つによってサービス提供されうる。アクセス端末が、この地理的領域にわたってローミングすると、アクセス端末は、サービス提供しているアクセス・ポイントから離れ、別のアクセス・ポイントの近くへ移動しうる。さらに、所与のセル内の信号条件が変化しうる。これによって、アクセス端末は、別のアクセス・ポイントによって、より良くサービス提供されうる。これらの場合、アクセス端末のモビリティを維持するために、アクセス端末は、サービス提供しているアクセス・ポイントから、別のアクセス・ポイントへハンドオーバされうる。いくつかの場合には、アクセス端末は、（例えば、所望のサービスまたはより良好なサービスをユニークに提供しうる）別のネットワークへ向けられうる。
【発明の概要】
【０００７】
本開示の態様によれば、無線通信のための方法は、第１のネットワークからデバイスへメッセージを提供することと、ここで、メッセージは、第２のネットワークへのアクセスのための１または複数のパラメータを備える、第１のネットワークによって提供された１または複数のパラメータに基づいて、デバイスに対して、第１のネットワークから第２のネットワークへ切り換わるように指示することと、第１のネットワークによって提供された１または複数のパラメータに少なくとも部分的に基づいて、デバイスに対して、第２のネットワークにおいてランダム・アクセスを実行するように指示することと、ここで、１または複数のパラメータは、第２のネットワークにおいてランダム・アクセスを実行するための優先度パラメータを備える、を備える。
【０００８】
本開示の態様によれば、無線通信のための装置は、第１のネットワークからデバイスへメッセージを提供することと、ここで、メッセージは、第２のネットワークへのアクセスのための１または複数のパラメータを備える、第１のネットワークによって提供された１または複数のパラメータに基づいて、デバイスに対して、第１のネットワークから第２のネットワークへ切り換わるように指示することと、第１のネットワークによって提供された１または複数のパラメータに少なくとも部分的に基づいて、デバイスに対して、第２のネットワークにおいてランダム・アクセスを実行するように指示することと、ここで、１または複数のパラメータは、第２のネットワークにおいてランダム・アクセスを実行するための優先度パラメータを備える、を行うように構成された処理システムを備える。
【０００９】
本開示の態様によれば、無線通信のための装置は、第１のネットワークからデバイスへメッセージを提供する手段と、ここで、メッセージは、第２のネットワークへのアクセスのための１または複数のパラメータを備える、第１のネットワークによって提供された１または複数のパラメータに基づいて、デバイスに対して、第１のネットワークから第２のネットワークへ切り換わるように指示する手段と、第１のネットワークによって提供された１または複数のパラメータに少なくとも部分的に基づいて、デバイスに対して、第２のネットワークにおいてランダム・アクセスを実行するように指示する手段と、ここで、１または複数のパラメータは、第２のネットワークにおいてランダム・アクセスを実行するための優先度パラメータを備える、を備える。
【００１０】
本開示の態様にしたがって、コンピュータ・プログラム製品は、第１のネットワークからデバイスへメッセージを提供することと、ここで、メッセージは、第２のネットワークへのアクセスのための１または複数のパラメータを備える、第１のネットワークによって提供された１または複数のパラメータに基づいて、デバイスに対して、第１のネットワークから第２のネットワークへ切り換わるように指示することと、第１のネットワークによって提供された１または複数のパラメータに少なくとも部分的に基づいて、デバイスに対して、第２のネットワークにおいてランダム・アクセスを実行するように指示することと、ここで、１または複数のパラメータは、第２のネットワークにおいてランダム・アクセスを実行するための優先度パラメータを備える、を装置に対して行わせるように実行可能なコードを備えるコンピュータ読取可能な媒体を備える。
【図面の簡単な説明】
【００１１】
開示された態様は、同一符号が同一要素を示し、開示された態様を、限定することなく、例示するために提供される添付図面と連携して説明さるだろう。
【図１】図１は、本開示の態様にしたがう無線通信ネットワークを例示する図解を示す。
【図２】図２は、本開示の態様にしたがう無線通信システムの図解を示す。
【図３】図３は、本開示の態様にしたがう多元接続無線通信システムの実施形態を例示する図解を示す。
【図４Ａ】図４Ａは、本開示の態様にしたがって、アクセス・ネットワークで使用するためのフレーム構造の例を例示する図解を示す。
【図４Ｂ】図４Ｂは、本開示の態様にしたがう、ロング・ターム・イボリューション（ＬＴＥ）ネットワークにおけるアップリンク（ＵＬ）のためのフォーマットを示す。
【図４Ｃ】図４Ｃは、本開示の態様にしたがう、ユーザ・プレーンおよび制御プレーンのためのラジオ・プロトコル・アーキテクチャの例を例示する図解を示す。
【図５】図５は、本開示の態様にしたがう通信構成要素のうちのいくつかのサンプル態様のブロック図を示す。
【図６】図６は、本開示の態様にしたがって、アクセス・パラメータを使用するように適合された通信システムのうちのいくつかのサンプル態様のブロック図を示す。
【図７】図７は、本開示の態様にしたがって、アクセス・パラメータの使用と連携して実行されうる動作のいくつかのサンプル態様のフロー・チャートを示す。
【図８】図８は、本開示の態様にしたがって、アクセス端末のリダイレクションと連携して、アクセス・パラメータがどのように使用されうるのかを例示するサンプル・コール・フロー図を示す。
【図９Ａ】図９Ａは、本開示の態様にしたがって、通信ノードにおいて適用されうる構成要素を例示する図解を示す。
【図９Ｂ】図９Ｂは、本開示の態様にしたがって、処理システムおよびメモリを適用する装置のハードウェア実装の実施形態を例示する図解を示す。
【図１０】図１０は、本開示の態様にしたがって、無線通信システムにおいてネットワーク・アクセス・パラメータを利用する方法のための処理フローの実施形態を例示する図解を示す。
【図１１】図１１は、本開示の態様にしたがって、無線通信システムにおいてネットワーク・アクセス・パラメータを利用するように構成された装置の機能の実施形態を例示する図解を示す。
【００１２】
一般的な実施にしたがって、これら図面に例示されたさまざまな機能は、スケールするように描かれていないことがありうる。したがって、これらさまざまな機能の寸法は、明瞭さのために任意に拡大または縮小されうる。さらに、これら図面のうちのいくつかは、明瞭さのために単純化されうる。したがって、これら図面は、所与の装置（例えば、デバイス）または方法の構成要素のすべてを図示しているとは限らない。
【発明を実施するための形態】
【００１３】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１４】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００１５】
例として、要素、要素の任意の部分、または、要素の任意の組み合わせは、１または複数のプロセッサを含む「処理システム」を用いて実現されうる。プロセッサの例は、マイクロ・プロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、非一時的なコンピュータ読取可能な媒体でありうる。非一時的なコンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、および、コンピュータによってアクセスされうる命令群および／またはソフトウェアを格納するためのその他任意の適切な媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【００１６】
本明細書において記載された教示は、さまざまなタイプの通信システムおよび／またはシステム構成要素に組み込まれうる。いくつかの態様では、本明細書に記載された教示は、利用可能なシステム・リソースを共有することによって（例えば、帯域幅、送信電力、符号化、インタリーブ等のうちの１または複数を指定することによって）、複数のユーザとの通信をサポートすることが可能な多元接続システムにおいて適用されうる。
【００１７】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ＣＤＭＡ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、ＬＴＥに関して後述されており、後述する説明の多くでＬＴＥ用語が使用される。本開示のある態様は、３ＧＰＰ用語を用いて記述されうるが、本明細書における教示は、３ＧＰＰ（例えば、Ｒｅ１９９、Ｒｅ１５、Ｒｅ１６、Ｒｅ１７）技術のみならず、３ＧＰＰ２（例えば１ｘＲＴＴ、１ｘＥＶ−ＤＯ  ＲｅｌＯ、ＲｅｖＡ、ＲｅｖＢ）技術およびその他の技術にも同様に適用されうることが理解されるべきである。
【００１８】
シングル・キャリア周波数分割多元接続（ＳＣ−ＦＤＭＡ）は、シングル・キャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）またはイボルブドＵＴＲＡにおけるアップリンク多元接続スキームのための動作前提である。
【００１９】
本開示の態様では、無線多元接続通信システムは、複数のモバイル端末のための通信を同時にサポートするように構成される。端末はおのおのの、順方向リンクおよび逆方向リンクによる送信を介して、１または複数の基地局と通信する。順方向リンクすなわちダウンリンク（ＤＬ）は、基地局から端末への通信リンクを称し、逆方向リンクすなわちアップリンク（ＵＬ）は、端末から基地局への通信リンクを称する。この通信リンクは、単一入力単一出力、複数入力単一出力、あるいは、複数入力複数出力（ＭＩＭＯ）システムによって確立されうる。
【００２０】
本開示の態様では、ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上されたパフォーマンス（例えば、より高いスループット、および／または、より高い信頼性）を与えうる。
【００２１】
本開示の態様では、ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【００２２】
図１は、さまざまな装置を適用する無線ネットワーク・アーキテクチャ１００を例示する図解である。このネットワーク・アーキテクチャ１００は、イボルブド・パケット・システム（ＥＰＳ）１０１を含みうる。ＥＰＳ１０１は、１または複数のユーザ機器（ＵＥ）１０２、イボルブドＵＭＴＳ地上ラジオ・アクセス・ネットワーク（Ｅ−ＵＴＲＡＮ）１０４、イボルブド・パケット・コア（ＥＰＣ）１１０、ホーム加入者サーバ（ＨＳＳ）１２０、およびオペレータのＩＰサービス１２２を含みうる。ＥＰＳは、例えばパケット交換コア（ＰＳコア）１２８、回路交換コア（ＣＳコア）１３４等のようなその他のアクセス・ネットワークと相互接続しうる。図示されるように、ＥＰＳは、パケット交換サービスを提供する。しかしながら、当業者であれば容易に認識するであろうが、本開示にわたって示されているさまざまな概念は、例えばＣＳコア１３４に関連付けられたような、回路交換サービスを提供するネットワークに拡張されうる。
【００２３】
ネットワーク・アーキテクチャ１００はさらに、パケット交換ネットワーク１０３および回路交換ネットワーク１０５を含みうる。実施では、パケット交換ネットワーク１０３は、基地局１０８、基地局コントローラ１２４、サービス提供ＧＰＲＳサポート・ノード（ＳＧＳＮ）１２６、ＰＳコア１２８、および結合ＧＰＲＳサービス・ノード（ＣＧＳＮ）１３０を含みうる。別の実施では、回線交換ネットワーク１０５は、基地局１０８、基地局コントローラ１２４、モバイル交換センタ（ＭＳＣ）、ビジタ・ロケーション・レジスタ（ＶＬＲ）１３２、ＣＳコア１３４、およびゲートウェイ・モバイル切換センタ（ＧＭＳＣ）１３６を含みうる。
【００２４】
Ｅ−ＵＴＲＡＮ１０４は、イボルブド・ノードＢ（ｅＮＢ）１０６と、例えばパケットおよび回路交換ネットワークのように、基地局１０８を介して容易とされうるその他のネットワークへの接続を含みうる。ｅＮＢ１０６は、ＵＥ１０２向けのユーザ・プレーン・プロトコル終端および制御プレーン・プロトコル終端を提供する。ｅＮＢ１０６は、Ｘ２インタフェース（すなわち、バックホール）を経由して他のｅＮＢ１０８に接続されうる。ｅＮＢ１０６はまた、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語として称されうる。ｅＮＢ１０６は、ＵＥ１０２のために、ＥＰＣ１１０にアクセス・ポイントを提供する。ＵＥ１０２の例は、セルラ電話、スマート・フォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他の類似の機能デバイスを含む。ＵＥ１０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００２５】
ｅＮＢ１０６は、Ｓ１インタフェースによってＥＰＣ１１０に接続される。ＥＰＣ１１０は、モビリティ管理エンティティ（ＭＭＥ）１１２、その他のＭＭＥ１１４、サービス提供ゲートウェイ１１６、およびパケット・データ・ネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２はベアラおよび接続管理を提供する。すべてのユーザＩＰパケットは、ＰＤＮゲートウェイ１１８に接続されているサービス提供ゲートウェイ１１６を介して転送される。ＰＤＮゲートウェイ１１８は、ＵＥにＩＰアドレス割当のみならず、その他の機能も提供する。ＰＤＮゲートウェイ１１８は、オペレータのＩＰサービス１２２に接続される。オペレータのＩＰサービス１２２は、インターネット、イントラネット、ＩＰマルチメディア・サブシステム（ＩＭＳ）、およびＰＳストリーミング・サービス（ＰＳＳ）を含む。
【００２６】
本開示の態様では、無線システム１００は、ＣＳフォールバック（ＣＳＦＢ）を容易にするようにイネーブルされうる。本明細書において使用されるように、ＣＳＦＢは、例えば、音声コール、ショート・メッセージ・サービス（ＳＭＳ）等のようなサービスを可能にするために、回路交換ＭＳＣ１３２とＬＴＥコア・ネットワーク１１０との間でシグナリング・チャネルを確立することを称しうる。このような態様では、ＵＥ１０２が、ＥＰＳ１０１に関連付けられ（例えば、ＬＴＥネットワーク１０１にキャンプされ）、モバイル終端（ＭＴ）コールのためのページをＬＴＥネットワーク１０１において受信するために登録された場合に、ＣＳＦＢがイネーブルされうる。動作中、ＵＥ１０２は、ＬＴＥネットワーク１０１でページを受信しうる。その後、ＵＥ１０２は、ＣＳコール・セットアップを実行するために、ＬＴＥネットワーク１０１によってＣＳベースのセル１０８（例えば、ＵＴＲＡＮセル、ＧＥＲＡＮセル等）へ移行されうる。実施では、ＣＳコール・セットアップは、ページ応答メッセージを用いて実行されうる。ＬＴＥネットワーク１０１によって実施されると、ＣＳＦＢは、ＵＥ１０２が１つのセルにおけるＭＴコールのためのページを受信し、別のセルにおけるページに応答しうるという点において、ネイティブＣＳベースのセル１０８（例えば、ＵＴＲＡＮ／ＧＥＲＡＮ）にセットアップされたレガシーＣＳコールとは異なりうる。
【００２７】
一般に、ＣＳＦＢ対応のＵＥ１０２は、ＬＴＥネットワーク１０１にキャンプ・オンされている場合、３ＧＰＰ  ＭＳＣ１３２に接続されうる。この３ＧＰＰ  ＭＳＣ１３２は、例えばＬＡ１のような第１のロケーション・エリアにサービス提供しうる。前述したように、ＭＴ  ＣＳＦＢコール処理は、ページが受信されたＬＴＥネットワーク１０１から、ページ応答が送信されたＣＳベースのセル１０８（例えば、ＵＴＲＡＮセル、ＧＥＲＡＮセル等）へとＵＥが移動されることを含みうる。
【００２８】
本開示の態様では、セルラ・システムが、有効通信範囲において以前にアイドルであったＵＥへ、ページを配信することが所望されうる。これは、結果として得られるランダム・アクセス手順に、他のアクセス試行よりも高い優先度を与えながら、ＵＥに対して、ランダム・アクセス手順を実行させうる。例えば、これらの状況は、システムにおける負荷が極端に高く、例えば緊急応答者のようなあるユーザに対するサービスを優先付けるための強制的な理由がある、例えば自然災害のような広範囲の緊急事態において生じうる。
【００２９】
ページング手順とランダム・アクセスとが同じシステム内で引き起こる場合、例えば、アクセス・クラス除外や、ネットワークにおける低優先度のページング・メッセージの選択的なスロットリング等によって、優先付けを達成するための適切な方法が存在する。しかしながら、ページング手順とアクセス手順とが異なるネットワークにおいて引き起こる場合、ページング・ネットワークは、他のネットワークの負荷状態を知らず、結果として生じるアクセス試行に高い優先度が与えられねばならないことを他のネットワークにダイレクトに示すためのメカニズムを有していない場合がありうる。このような状態は、例えば、ＬＴＥシステムが「ＣＳフォールバック」（ＣＳＦＢ）挙動をトリガした場合に生じうる。これは、高い優先度の通信を開始するために、ＬＴＥネットワークにおいてサービスを受けているＵＥを、例えばＵＭＴＳまたはＧＳＭのような別のラジオ・アクセス技術のネットワークへ移動させる。
【００３０】
したがって、本開示の態様は、記載されたタイプのアクセス試行に、高い優先度が与えられるようにするシグナリング・ソリューションのクラスを提供する。例えば、ソース・システムにおいてサービスされているＵＥを考慮されたい。ＵＥは、ソース・システムにおいて接続状態またはアクティブ状態とされ、その後、異なるターゲット・システムにおけるアクセスを実行するために特化されたシグナリングによって指示されうる。実施では、ソース・システムは、ＬＴＥシステムでありうる。そして、ターゲット・システムは、例えばＵＭＴＳまたはＧＳＭのような別のアクセス技術のシステムでありうる。そして、この特化されたシグナリングは、ターゲット・システムへの移動または切り換えと、ターゲット・システムにおいて接続状態またはアクティブ状態に入るためのランダム・アクセス手順の実行とを行うようにＵＥに対して指示する効果を有する、１または複数のパラメータを備えるリダイレクション・メッセージでありうる。例において、この手順は、図８において（高レベルで）示される。
【００３１】
本開示の態様では、アクセス試行のターゲット・システムによって、高優先度として取り扱うことを容易にするために、ソース・システムから送信されたリダイレクション・メッセージは、アクセス試行の取り扱いに影響を与えるパラメータを含める機能を含みうる。例えば、リダイレクション・メッセージは、ターゲット・システムにおいてＵＥによって使用されるべきアクセス・クラスまたはアクセス・サービス・クラスを示すインジケーションを含みうる。このようなクラスは、いくつかのセルラ技術において存在し、（例えば、アクセス・サービス・クラスを、ＵＭＴＳ内の特定のＲＡＣＨリソースにマップすることによって）特定のラジオ・リソースへアクセス試行を割り当てること、または、あるアクセス・クラスを持つＵＥが、例えばアクセス・クラス除外のような制約をバイパスすることを可能にすること、からなる効果を有する。これらのクラスは、特定のＵＥを用いて静的に関連付けられうるか、および／または、サービス提供ネットワーク（これらクラスが使用されうるものと同じネットワークであり、我々の説明のために、これは、ターゲット・ネットワークである。）によって割り当てられうる。しかしながら、ソース・システムによって割り当てられたクラス（単数または複数）は、ターゲット・システム内のＵＥに関連付けられたクラス（単数または複数）を決定するための通常の方法に重なるように構成されうる。
【００３２】
本開示の態様では、リダイレクション・メッセージは、ターゲット・システムにおけるアクセス試行の一部として配信されるべき原因値（例えば、ＵＭＴＳシステムにおける情報要素「確立原因」（Establishment cause）において使用されるべき値）を含みうる。このような値は、ターゲット・システムによって定義されたセマンティクス（semantics）を有しうるが、ターゲット・システムによって、オーバ・ザ・エアで、ＵＥへ配信されるだろう。さまざまな値が使用されうることが考慮される。これは、優先付けられた異なるタイプのアクセスについて、複数の原因値を使用する可能性を含む。例えば、ソース・ネットワークは、いくつかのＵＥに対しては、ターゲット・システムにおけるアクセス試行が緊急コールとして識別されねばならないことを、他のＵＥに対しては、ターゲット・システムにおけるアクセス試行が高い優先度のシグナリング要求として識別されねばならないことを、示しうる。優先付けされた異なるグループのユーザを区分するために、（例えば、緊急応答者のためにある値、オペレータ従事者のために別の値のような）さまざまな値が使用されうる（緊急応答者とオペレータ従事者はともに、多くの状況において優先度が与えられているが、ターゲット・システムによって、互いに識別可能でありうる）。
【００３３】
本開示の態様は、リダイレクション機能を用いてＣＳＦＢを修正するように構成される。記載されている例では、リダイレクション・メッセージによって伝送されるパラメータを設定するための関連するポリシーおよび適切な値は、例えば、相互作用インタフェースを用いることによって、ターゲット・ネットワークによってソース・ネットワークへ提供されうる。例えば、ターゲット・ネットワークは、優先付けられたさまざまなクラスのＣＳフォールバック（ＣＳＦＢ）のために使用されるべき１または複数の原因値をソース・ネットワークへ提供しうる。
【００３４】
図２は、多くのユーザをサポートするように構成され、本明細書に記載された教示が実施される無線通信システム２００を例示する。このシステム２００は、例えばマクロ・セル２０２Ａ−２０２Ｇのような複数のセル２０２のための通信を提供する。ここで、各セルは、対応するアクセス・ポイント２０４（例えば、アクセス・ポイント２０４Ａ−２０４Ｇ）によってサービス提供される。図２に示すように、アクセス端末２０６（例えば、アクセス端末２０６Ａ−２０６Ｌ）は、経時的にシステム内のさまざまな位置に分布しうる。アクセス端末２００６はおのおのの、例えば、アクセス端末２０６がアクティブであるか、および、ソフト・ハンドオフにあるかに依存して、所与の時間において、順方向リンク（ＦＬ）および／または逆方向リンク（ＲＬ）で、１または複数のアクセス・ポイント２０４と通信しうる。無線通信システム２００は、大規模な地理的領域にわたってサービスを提供しうる。例えば、マクロ・セル２０２Ａ−２０２Ｇは、近くの数ブロック、または過疎環境における数マイルをカバーしうる。
【００３５】
アクセス・ネットワーク２００によって適用される変調および多元接続スキームは、展開されている特定の通信規格に依存して変わりうる。ＬＴＥアプリケーションでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ）、ＯＦＤＭＡを適用するイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００３６】
アクセス・ポイント２０４Ａ−２０４Ｇは、ＭＩＭＯ技術をサポートする複数のアンテナを有しうる。ＭＩＭＯ技術を使用することにより、アクセス・ポイント２０４Ａ−２０４Ｇは、空間多重化、ビームフォーミング、および送信ダイバーシティをサポートするために空間領域を活用できるようになる。アクセス・ポイント２０４Ａ−２０４Ｇは、ｅＮＢデバイスを備えうる。
【００３７】
空間多重化は、同じ周波数で、異なるデータ・ストリームを同時に送信するために使用されうる。データ・ストリームは、データ・レートを高めるために単一のアクセス端末２０６Ａ−２０６Ｌへ、全体的なシステム容量を高めるために複数のアクセス端末２０６Ａ−２０６Ｌへ、送信されうる。これは、各データ・ストリームを空間的にプリコードし、空間的にプリコードされた各ストリームを、ダウンリンクで、異なる送信アンテナを介して送信することによって達成される。空間的にプリコードされたデータ・ストリームは、異なる空間シグニチャを持つアクセス端末２０６Ａ−２０６Ｌに到着する。これによって、アクセス端末２０６Ａ−２０６Ｌのおのおのは、アクセス端末２０６Ａ−２０６Ｌのために指定された１または複数のデータ・ストリームを復元できるようになる。アップリンクでは、おのおののアクセス端末２０６Ａ−２０６Ｌが、空間的にプリコードされたデータ・ストリームを送信する。これによって、アクセス・ポイント２０４Ａ−２０４Ｌは、空間的にプリコードされた各データ・ストリームのソースを識別できるようになる。アクセス端末２０６Ａ−２０６Ｌは、ユーザ機器（ＵＥ）デバイスと称されうる。
【００３８】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部において良好な有効通信範囲を達成するために、単一ストリーム・ビームフォーミング送信が、送信ダイバーシティと組み合わされて使用されうる。
【００３９】
図３は、本開示の態様にしたがう多元接続無線通信システムの実施形態を例示する図解を示す。実施では、アクセス・ポイント３００（ＡＰ）は、１つは３０４および３０６を含み、別の１つは３０８および３１０を含み、さらに別の１つは３１２および３１４を含む１または複数のアンテナ・グループを含む。図３では、２本のアンテナだけが各アンテナ・グループのために示されている。しかしながら、２より多い、または、２より少ないアンテナも、おのおののアンテナ・グループのために利用されうる。アクセス端末３１６（ＡＴ）はアンテナ３１２およびアンテナ３１４と通信しており、アンテナ３１２，３１４は、順方向リンクすなわちダウンリンク（ＤＬ）３２０によってアクセス端末３１６へ情報を送信し、逆方向リンクすなわちアップリンク（ＵＬ）３１８によってアクセス端末３１６から情報を受信する。アクセス端末３２２はアンテナ３０６およびアンテナ３０８と通信しており、アンテナ３０６，３０８は、順方向リンクすなわちダウンリンク（ＤＬ）３２６によってアクセス端末３２２へ情報を送信し、逆方向リンクすなわちアップリンク（ＵＬ）３２４によってアクセス端末３２２から情報を受信する。
【００４０】
本開示の態様では、周波数分割デュプレクス（ＦＤＤ）システムでは、通信リンク３１８，３２０，３２４，３２６は、通信のために異なる周波数を使用しうる。例えば、順方向リンクすなわちダウンリンク（ＤＬ）３２０は、逆方向リンクすなわちアップリンク（ＵＬ）３１８によって利用されるものとは異なる周波数を使用しうる。
【００４１】
本開示の態様では、通信するように設計された領域および／またはアンテナのおのおののグループは、アクセス・ポイントのセクタと称されうる。１つの例では、おのおののアンテナ・グループは、アクセス・ポイント３００によってカバーされる領域のセクタ内の端末にアクセスするために通信するように設計される。
【００４２】
順方向リンクすなわちダウンリンク（ＤＬ）３２０，３２６による通信では、アクセス・ポイント３００の送信アンテナは、別のアクセス端末３１６，３２２のための順方向リンクすなわちダウンリンク３２０，３２６の信号対雑音比を改善するために、ビームフォーミングを利用する。さらに、有効範囲領域にわたってランダムに散在するアクセス端末へ送信するためにビームフォーミングを利用するアクセス・ポイントは、全てのアクセス端末へ単一のアンテナによって送信するアクセス・ポイントよりも、近隣のセル内のアクセス端末に対して少ない干渉しかもたらさない。
【００４３】
本開示の態様によれば、アクセス・ポイントは、端末と通信するために利用される固定局を備えることができ、アクセス・ポイント（ＡＰ）、ノードＢ（ＮＢ）、イボルブド・ノードＢ（ｅＮＢ）、またはその他のいくつかの用語で称されうる。アクセス端末はまた、アクセス端末（ＡＴ）、ユーザ機器（ＵＥ）、無線通信デバイス、端末、またはその他いくつかの用語で称されうる。さらに、アクセス・ポイントは、マクロセル・アクセス・ポイント、フェムトセル・アクセス・ポイント、ピコセル・アクセス・ポイント等でありうる。
【００４４】
さまざまな実施形態では、本明細書に記載されるように、１または複数のセグメント、または、１または複数の拡張キャリアが、通常のキャリアへリンクされ、合成帯域幅となる。ＵＥは、これによって、ｅＮＢへ情報を送信し、および／または、ｅＮＢから情報を受信しうる。
【００４５】
後述する詳細説明では、アクセス・ネットワークのさまざまな態様が、ダウンリンク（ＤＬ）においてＯＦＤＭをサポートし、アップリンク（ＵＬ）においてＳＣ−ＦＤＭＡをサポートするＭＩＭＯシステムを参照して説明されるだろう。ＯＦＤＭは、ＯＦＤＭシンボル内の多くのサブキャリアにおいてデータを変調するスペクトル拡散技術である。サブキャリアは、正確な周波数で、間隔を置かれている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。アップリンクは、高いピーク対平均電力比（ＰＡＲＲ）を補償するために、ＤＦＴ拡散ＯＦＤＭ信号の形態でＳＣ−ＦＤＭＡを使用しうる。
【００４６】
本開示の態様によれば、ダウンリンク（ＤＬ）送信とアップリンク（ＵＬ）送信とをサポートするために、さまざまなフレーム構造が利用されうる。ＤＬフレーム構造の例が、図４Ａを参照して示される。しかしながら、当業者が容易に認識するように、どの特定のアプリケーションのフレーム構造も、任意の数の要因に依存して異なりうる。この例では、フレーム（１０ミリ秒）が、１０の等しいサイズのサブフレームに分割される。おのおののサブフレームは、２つの連続する時間スロットを含む。
【００４７】
１つの実施では、おのおのがリソース・ブロック（ＲＢ）を含む２つの時間スロットを表すために、リソース・グリッドが利用されうる。リソース・グリッドは、複数のリソース要素（ＲＥ）に分割される。ＬＴＥでは、リソース・ブロック（ＲＢ）は、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素（ＲＥ）を含んでいる。Ｒ４０２，４０４として示されるような、ＲＥのうちのいくつかは、ＤＬ基準信号（ＤＬ−ＲＳ）を含みうる。ＤＬ−ＲＳは、（しばしば、共通ＲＳとも称されうる）セル特有のＲＳ（ＣＲＳ）４０２と、ＵＥ特有のＲＳ（ＵＥ−ＲＳ）４０４とを含む。ＵＥ−ＲＳ４０４は、対応する物理ダウンリンク共有チャネル（ＰＤＳＣＨ）がマップされるＲＢにおいてのみ送信されうる。各ＲＥによって伝送されるビット数は、変調スキームに依存しうる。このため、ＵＥが受信するＲＢが増加し、変調スキームが高くなると、ＵＥのためのデータ・レートが高くなる。
【００４８】
図４Ｂに示すように、ＵＬフレーム構造４２０の例が、ＬＴＥにおけるＵＬのためのフォーマットの実施形態で提供される。ＵＬのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるＲＢは、制御情報の送信のために、ＵＥへ割り当てられうる。データ・セクションは、制御セクションに含まれていないＲＢを含みうる。図４Ｂにおける設計の結果、データ・セクションは、連続するサブキャリアを含むようになる。これによって、単一のＵＥに、データ・セクションにおいて連続するサブキャリアのうちの１または複数が割り当てられるようになる。
【００４９】
実施では、ＵＥは、ｅＮＢへ制御情報を送信するために、制御セクションにおいてリソース・ブロック（ＲＢ）４３０ａ，４３０ｂを割り当てられうる。ＵＥはまた、ｅＮＢへデータを送信するために、データ・セクションにおいてＲＢ４４０ａ，４４０ｂを割り当てられうる。ＵＥは、制御セクションにおいて割り当てられたＲＢで、物理アップリンク制御チャネル（ＰＵＣＣＨ）で制御情報を送信しうる。ＵＥは、データ・セクションにおいて割り当てられたＲＢで、物理アップリンク共有チャネル（ＰＵＳＣＨ）で、データのみ、または、データと制御情報との両方を送信しうる。ＵＬ送信は、サブフレームからなる両スロットに及び、図４Ｂに示すような方式で、周波数を越えてホップしうる。
【００５０】
本開示の態様では、図４Ｂに示すように、物理ランダム・アクセス・チャネル（ＰＲＡＣＨ）４５０における初期システム・アクセスの実行と、ＵＬ同期の達成とのために、ＲＢのセットが利用されうる。ＰＲＡＣＨ４５０は、ランダム・シーケンスを伝送するが、どのＵＬデータ／シグナリングも伝送できないように構成されている。ランダム・アクセス・プリアンブルはおのおの、６つの連続するＲＢに対応する帯域幅を占有する。開始周波数は、ネットワークによって指定されうる。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送され、ＵＥは、フレーム（１０ミリ秒）毎に１回のＰＲＡＣＨ試行しか行わないことがありうる。
【００５１】
本開示の態様では、ＬＴＥにおけるＰＵＣＣＨ、ＰＵＳＣＨ、およびＰＲＡＣＨは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１を参照して記載されていることが認識されるべきである。
【００５２】
ラジオ・プロトコル・アーキテクチャは、特定のアプリケーションに依存してさまざまな形態をとりうる。ＬＴＥシステムに関する例が、図４Ｃを参照して示される。本開示の態様では、図４Ｃは、ユーザ・プレーンおよび制御プレーンのためのラジオ・プロトコル・アーキテクチャの例を例示する図解である。図４Ｃに示すように、ＵＥおよびｅＮＢのためのラジオ・プロトコル・アーキテクチャが、３つのレイヤ、すなわち、レイヤ１（Ｌ１）、レイヤ２（Ｌ２）、およびレイヤ３（Ｌ３）を用いて示される。Ｌ１は、最下部レイヤであり、さまざまな物理レイヤ信号処理機能を実施する。本明細書において、Ｌ１は、物理レイヤ４６６と称される。Ｌ２  ４６８は、物理レイヤ（Ｌ１）４６６上にあり、物理レイヤ（Ｌ１）４６６を介したＵＥとｅＮＢとの間のリンクを担当する。
【００５３】
ユーザ・プレーンでは、Ｌ２レイヤ４６８は、媒体アクセス制御（ＭＡＣ）サブレイヤ４７０と、ラジオ・リンク制御（ＲＬＣ）サブレイヤ４７２と、パケット・データ収束プロトコル（ＰＤＣＰ）サブレイヤ４７４とを含む。これらは、ネットワーク側におけるｅＮＢにおいて終端する。図示されていないが、ＵＥは、ネットワーク側におけるＰＤＮゲートウェイ１１８（例えば、図１参照）で終端するネットワーク・レイヤ（例えば、ＩＰレイヤ）を含む、Ｌ２レイヤ４６８上のいくつかの上部レイヤと、（例えば、遠くのエンドＵＥ、サーバ等のような）接続の他の側において終端するアプリケーション・レイヤとを有しうる。
【００５４】
本開示の態様では、ＰＤＣＰサブレイヤ４７４は、異なるラジオ・ベアラと論理チャネルとの間の多重化を提供する。ＰＤＣＰサブレイヤ４７４はまた、ラジオ送信オーバヘッドを低減するための上部レイヤ・データ・パケットのヘッダ圧縮、データ・パケットを暗号化することによるセキュリティ、および／または、ＵＥのｅＮＢ間でのハンドオーバ・サポートを提供する。ＲＬＣサブレイヤ４７２は、上部レイヤ・データ・パケットのセグメント化および再アセンブル、喪失したデータ・パケットの再送信、および／または、ハイブリッド自動反復要求（ＨＡＲＱ）による順不同な受信を補償するためのデータ・パケットの並べ替えを提供する。ＭＡＣサブレイヤ４７０は、論理チャネルと伝送チャネルとの間の多重化を提供する。ＭＡＣサブレイヤ４７０は、１つのセル内のさまざまなラジオ・リソース（例えば、ＲＢ）を、ＵＥ間に割り当てることを担当する。ＭＡＣサブレイヤ４７０は、ＨＡＲＱ動作を担当する。
【００５５】
制御プレーンでは、ＵＥおよびｅＮＢのためのラジオ・プロトコル・アーキテクチャは、制御プレーンのためのヘッダ圧縮機能が無いことを除いて、物理レイヤ４６６およびＬ２レイヤ４６８について実質的に同じである。制御プレーンはまた、レイヤ３にラジオ・リソース制御（ＲＲＣ）サブレイヤ４７６を含む。ＲＲＣサブレイヤ４７６は、ラジオ・リソース（すなわち、ラジオ・ベアラ）を取得することと、ＲＲＣシグナリングを用いてｅＮＢとＵＥとの間に下部レイヤを設定することと、を担当する。
【００５６】
図５は、サンプルＭＩＭＯシステム５００の無線デバイス５１０（例えば、アクセス・ポイント）と無線デバイス５５０（例えば、アクセス端末）とを例示する。デバイス５１０では、多くのデータ・ストリームのためのトラフィック・データが、データ・ソース５１２から送信（ＴＸ）データ・プロセッサ５１４へ提供される。おのおののデータ・ストリームは、その後、それぞれの送信アンテナを介して送信されうる。
【００５７】
ＴＸデータ・プロセッサ５１４は、各データ・ストリームのトラフィック・データをフォーマットし、このデータ・ストリームのために選択された特定の符号化スキームに基づいて符号化し、インタリーブして、符号化されたデータを提供する。おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、またはＭ−ＱＡＭ等）に基づいて変調（例えば、シンボル・マップ）され、変調シンボルが提供される。おのおののデータ・ストリームのデータ・レート、符号化、および変調は、プロセッサ５３０によって実行される命令群によって決定されうる。データ・メモリ５３２は、デバイス５１０のプロセッサ５３０またはその他の構成要素によって使用されるプログラム・コード、データ、およびその他の情報を格納しうる。
【００５８】
すべてのデータ・ストリームの変調シンボルは、（例えば、ＯＦＤＭのために）変調シンボルをさらに処理しうるＴＸ  ＭＩＭＯプロセッサ５２０に提供される。その後、ＴＸ  ＭＩＭＯプロセッサ５２０は、ＮＴ個の変調シンボル・ストリームを、ＮＴ個のトランシーバ（ＸＣＶＲ）５２２Ａ乃至５２２Ｔへ提供する。いくつかの態様では、ＴＸ  ＭＩＭＯプロセッサ５２０は、データ・ストリームのシンボルへ、および、このシンボルの送信がなされるアンテナへビームフォーミング重みを適用する。
【００５９】
各トランシーバ５２２は、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。その後、トランシーバ５２２Ａ乃至５２２ＴからのＮＴ個の変調信号が、ＮＴ個のアンテナ５２４Ａ乃至５２４Ｔからそれぞれ送信される。
【００６０】
デバイス５５０では、送信された変調信号が、ＮＲ個のアンテナ５５２Ａ乃至５５２Ｒによって受信され、おのおののアンテナ５５２からの受信信号が、それぞれのトランシーバ（ＸＣＶＲ）５５４Ａ乃至５５４Ｒへ提供される。各トランシーバ５５４は、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００６１】
本開示の態様では、その後、受信（ＲＸ）データ・プロセッサ５６０は、ＮＲ個のシンボル・ストリームをＮＲ個のトランシーバ５５４から受信し、受信したこれらシンボル・ストリームを、特定の受信機処理技術に基づいて処理することによって、ＮＴ個の「検出された」シンボル・ストリームが提供される。ＲＸデータ・プロセッサ５６０は、その後、検出されたおのおののシンボル・ストリームを復調し、デインタリーブし、復号して、そのデータ・ストリームのためのトラフィック・データを復元する。ＲＸデータ・プロセッサ５６０による処理は、デバイス５１０においてＴＸデータ・プロセッサ５１４およびＴＸ  ＭＩＭＯプロセッサ５２０によって実行されるものに対して相補的である。
【００６２】
本開示の態様では、プロセッサ５７０は、（後述するように）、どのプリコーディング行列を使用するのかを定期的に決定する。プロセッサ５７０は、行列インデクス部およびランク値部を備えた逆方向リンク・メッセージを規定する。データ・メモリ５７２は、デバイス５５０のプロセッサ５７０またはその他の構成要素によって使用されるプログラム・コード、データ、およびその他の情報を格納しうる。
【００６３】
本開示の態様では、これら逆方向リンク・メッセージは、通信リンクおよび／または受信データ・ストリームに関するさまざまなタイプの情報を備えうる。その後、逆方向リンク・メッセージは、ＴＸデータ・プロセッサ５３８によって処理され、変調器５８０によって変調され、トランシーバ５５４Ａ乃至５５４Ｒによって調整され、デバイス５１０へ送り戻される。ＴＸデータ・プロセッサ５３８はまた、データ・ソース５３６から、多くのデータ・ストリームのトラフィック・データを受信する。
【００６４】
デバイス５１０では、デバイス５５０からの変調信号が、アンテナ５２４によって受信され、トランシーバ５２２によって調整され、復調器（ＤＥＭＯＤ）５４０によって復調され、ＲＸデータ・プロセッサ５４２によって処理されることにより、デバイス５５０によって送信された逆方向リンク・メッセージが抽出される。その後、プロセッサ５３０が、ビームフォーミング重みを決定するためにどのプリコーディング行列を使用するのかを決定し、抽出されたメッセージを処理する。
【００６５】
図５はまた、本明細書に記載されたようなアクセス制御関連動作を実行する１または複数の構成要素を含みうる通信構成要素を例示する。例えば、アクセス制御構成要素５９２は、本明細書に記載されているように、（例えば、デバイス５１０を介した）他のネットワークへのアクセスを容易にするために、プロセッサ５３０、および／または、デバイス５５０のその他の構成要素と連携しうる。おのおののデバイス５１０，５５０について、記載された構成要素のうちの２またはそれ以上の機能が、単一の構成要素によって提供されうることが認識されるべきである。例えば、単一の処理構成要素が、アクセス制御構成要素５９２およびプロセッサ５７０の機能を提供しうる。
【００６６】
図６は、（例えば、通信ネットワークの一部のような）サンプル通信システム６００を例示する。例示目的のために、本開示のさまざまな態様が、互いに通信する１または複数のアクセス端末、アクセス・ポイント、およびネットワーク・エンティティのコンテキストで記載されるであろう。しかしながら、本明細書における教示は、その他の専門用語を用いて参照されるその他のタイプの装置またはその他の類似の装置に適用可能でありうることが認識されるべきである。例えば、さまざまな実施において、アクセス・ポイントは、基地局、ノードＢ、ｅノードＢ、セル等として称されるか、または、実施されうる。一方、アクセス端末は、ユーザ機器、モバイル・デバイス等として称されるか、または、実施されうる。
【００６７】
このシステム６００におけるアクセス・ポイントは、（例えば、アクセス端末６０２のように、）システム６００の有効通信範囲領域内に搭載されているか、または、システム６００の有効通信範囲領域内をローミングしうる１または複数の無線端末のために１または複数のサービス（例えば、ネットワーク接続）を提供しうる。例えば、さまざまな時点において、アクセス端末６０２は、アクセス・ポイント６０４、アクセス・ポイント６０６、または、システム６００内の（図示しない）その他いくつかのアクセス・ポイントに、接続しうる。アクセス・ポイントのおのおのは、広域ネットワーク接続を容易にするために、（便宜的に、ネットワーク・エンティティ６０８，６１０によって表される）１または複数のネットワーク・エンティティと通信しうる。図６の例では、アクセス・ポイント６０４は、（ネットワーク・エンティティ６０８を介して）第１のネットワークに関連付けられ、アクセス・ポイント６０６は、（ネットワーク・エンティティ６１０を介して）第２のネットワークに関連付けられる。
【００６８】
ネットワーク・エンティティは、例えば、１または複数のラジオ・エンティティ、および／または、コア・ネットワーク・エンティティのようなさまざまな形態をとりうる。したがって、さまざまな実施において、ネットワーク・エンティティは、例えば、（例えば、動作、管理、およびメンテナンス（ＯＡＭ）エンティティによる）ネットワーク管理、コール制御、セッション管理、モビリティ管理、ゲートウェイ機能、相互作用機能、または、その他いくつかの適切なネットワーク機能のうちの少なくとも１つのような機能を表しうる。いくつかの態様では、モビリティ管理は、トラッキング領域、位置決め領域、ルーティング領域、またはその他いくつかの適切な技術を用いることによりアクセス端末の現在位置のトラッキングを維持すること、アクセス端末のためのページングを制御すること、および、アクセス端末のためのアクセス制御を提供すること、に関連する。さらに、これらのネットワーク・エンティティのうち２つまたはそれ以上が、ネットワーク内に共存しうる。または、これらエンティティは、ネットワークにわたって分散しうる。
【００６９】
本明細書における教示によれば、第１のネットワーク（ネットワーク１）は、１または複数のアクセス・パラメータをアクセス端末６０２へ送信しうる。そして、アクセス端末６０２は、第２のネットワーク（ネットワーク２）にアクセスしている場合、１または複数のアクセス・パラメータを、第２のネットワークへ送信しうる。いくつかの態様では、アクセス・パラメータは、第２のネットワークにおける、アクセス端末６０２のための優先アクセスを可能にするために使用されうる。例えば、第１のネットワークが、アクセス端末６０２を、（例えば、回路交換フォールバック手順と連携して）第２のネットワークへリダイレクトする場合、第１のネットワークは、リダイレクション・メッセージとともにアクセス優先度パラメータを送信しうる。その後、アクセス端末６０２が、第２のネットワークにアクセスした場合、アクセス端末６０２は、これらアクセス・パラメータを、第２のネットワークへ送信しうる。その後、第２のネットワークが、受信したパラメータに基づいて、アクセス端末６０２へ優先アクセス（例えば、１または複数の他のアクセス端末へ提供されたものよりも高い優先度のアクセス）を提供しうる。したがって、いくつかの態様では、本開示は、別のシステムからのリダイレクションにおいて提供されたパラメータに基づいて、セルラ・システムへの高優先度のランダム・アクセスを実行することに関連しうる。
【００７０】
いくつかのケースでは、第１のネットワークは、第２のネットワークからアクセス・パラメータを受信しうる。例えば、ネットワーク・エンティティ６１０は、設定インタフェースを経由して、ネットワーク・エンティティ６０８にアクセス・パラメータを送信しうる。
【００７１】
本明細書で教示されたネットワーク・アクセス・パラメータ関連の動作は、ネットワークのさまざまな構成要素によって実行されうる。例えば、いくつかの実施では、例えばモビリティ・マネジャのようなネットワーク・エンティティ（例えば、モビリティ管理エンティティ（ＭＭＥ））が、これらの動作を実行しうる。
【００７２】
本開示の態様では、サンプル・アクセス・パラメータ関連の動作が、図７および図８と連携して記載されている。さまざまな実施において、図７および図８の動作（または、本明細書で説明または教示されたその他任意の動作）が、（例えば、図６、図９Ａ、および図９Ｂに図示される構成要素のような）具体的な構成要素によって実行されるものとして記載されうる。しかしながら、これらの動作は、その他のタイプの構成要素によって実行され、異なる数の構成要素を用いて実行されうることが認識されるべきである。本明細書に記載された動作のうちの１または複数は、所与の実施において適用されないこともありうることも認識されるべきである。
【００７３】
本開示の態様では、図７のブロック７０２によって示されるように、ある時点において、第１のネットワーク（すなわち、第１のネットワークの第１のネットワーク・エンティティ）が、第２のネットワークに関連付けられた１または複数のパラメータを受信する。ここで、アクセス・パラメータは、アクセス端末が第２のネットワークにアクセスするイベントにおいて、アクセス端末に割り当てられうる優先度を（明示的にまたは暗黙的に）示すインジケーションを備えうる。すなわち、第２のネットワークは、異なるアクセス端末へ、異なる優先度で、アクセスを提供する。このアクセス優先度スキームを容易にするために、第２のネットワークは、あるアクセス・パラメータを、ある優先度に関連付ける。例えば、アクセス・パラメータは、アクセス・クラス、アクセス・サービス・クラス、または確立原因のうちの少なくとも１つを備えうる。その後、第２のネットワークにおいて、これらパラメータの異なる値が、異なる優先度に関連付けられる。
【００７４】
さらに、ある場合には、第２のネットワークは、アクセス・パラメータ（単数または複数）と、アクセス端末の複数のクラスとの間の関連付けを保持する。このような場合、第１のネットワークは、（例えば、同じメッセージによって、）アクセス・パラメータ（単数または複数）の受信と連携して、この関連付けを示すインジケーションを受信しうる。
【００７５】
アクセス・パラメータ情報は、さまざまな方式で、第１のネットワークに提供されうる。いくつかの実施では、第２のネットワーク（すなわち、第２のネットワークのネットワーク・エンティティ）は、第１のネットワーク（例えば、第１のネットワークのネットワーク・エンティティ）へ情報を送信する。例えば、第１のネットワークは、設定インタフェースを経由して、第２のネットワークからアクセス・パラメータ情報を受信しうる。
【００７６】
ブロック７０４によって示されるように、その後のある時点において、アクセス・パラメータ（単数または複数）に関連付けられたアクセス端末は、第１のネットワークにアクセスする。例えば、アクセス端末は、第１のネットワークに関連付けられたアクセス・ポイントへ接続しうる。
【００７７】
ブロック７０６によって示されるように、第１のネットワークは、アクセス端末へシグナリング・メッセージを送信しうる。これによって、シグナリング・メッセージは、このアクセス端末に関連付けられた１または複数のアクセス・パラメータを含むようになる。例えば、アクセス端末が第２のネットワークへリダイレクトされねばならないと第１のネットワークが判定したイベントでは、第１のネットワークは、アクセス端末へリダイレクション・メッセージを送信しうる。ここで、リダイレクション・メッセージは、アクセス端末が第２のネットワークにおいて受信する優先度を指定するアクセス・パラメータを含みうる。
【００７８】
ブロック７０８によって示されるように、アクセス端末は、（例えば、シグナリング・メッセージを受信した結果として、）第２のネットワークにアクセスする。例えば、アクセス端末は、第２のネットワークに関連付けられたアクセス・ポイントにおいて、ランダム・アクセスを実行しうる。アクセス端末は、このアクセスと連携して、第２のネットワークへメッセージを送信する。これによって、このメッセージは、アクセス端末がブロック７０６において受信したアクセス・パラメータ（単数または複数）を含むようになる。
【００７９】
ブロック７１０によって示されるように、第２のネットワークは、アクセス端末からアクセス・パラメータ（単数または複数）を受信した結果として、このアクセス・パラメータ（単数または複数）に基づいて、アクセス端末へのアクセスを提供する。例えば、第２のネットワークは、このアクセス端末に、第２のネットワークにランダムにアクセスしている別のアクセス端末（例えば、複数の別のアクセス端末のうちのいくつかまたはすべて）に与えられるものよりも高い優先度で、第２のネットワークへのアクセスを与えうる。いくつかの態様では、これは、優先度に基づいて、アクセス端末へリソース（例えば、帯域幅のようなラジオ・リソース）を割り当てることを含みうる。
【００８０】
図８は、アクセス・パラメータが、（例えば、ＣＳＦＢ手順のために、）アクセス端末の別のネットワークへのリダイレクションと連携しているシステム（例えば、ＬＴＥシステム）において適用されうるコール・フローの例を例示する。
【００８１】
さまざまな状況において、セルラ・システムが、有効通信範囲内の以前にアイドルであったＵＥへ、ページを配信することが所望されうる。これは、結果として得られるランダム・アクセス手順に、他のアクセス試行よりも高い優先度を与えながら、ＵＥに対して、ランダム・アクセス手順を実行させる。例えば、これらの状況は、システムにおける負荷が一般に極端に高く、例えば緊急応答者のようなあるユーザに対するサービスを優先付けるための強制的な理由がある、例えば自然災害のような広範囲の緊急事態において生じうる。
【００８２】
ページング手順とランダム・アクセスとが同じシステム内で生じる場合、例えば、アクセス・クラス除外や、ネットワークにおける低優先度のページング・メッセージの選択的なスロットリング等によって、この優先付けを達成するための適切な方法が既に存在する。しかしながら、ページング手順とアクセス手順とが異なるネットワークにおいて生じる場合、ページング・ネットワークは、他のネットワークの負荷状態を知らず、結果として生じるアクセス試行に、高い優先度が与えられねばならないことを、他のネットワークにダイレクトに示すメカニズムを持たない場合がありうる。このような状況は、例えば、ＬＴＥシステムが「ＣＳフォールバック」（ＣＳＦＢ）挙動をトリガする場合に生じうる。これは、高い優先度の通信を開始するために、ＬＴＥネットワークにおいてサービスを受けているＵＥを、例えばＵＭＴＳまたはＧＳＭのような別のラジオ・アクセス技術のネットワークへ移動させる。
【００８３】
本開示の態様によれば、記載されたタイプのアクセス試行に、高い優先度が与えられるようにする、クラスのシグナリング・ソリューションが適用されうる。例えば、「ソース」システムにおいてサービスを受けているＵＥを考慮されたい。ここでは、ＵＥは、ソース・システムにおいて、接続状態またはアクティブ状態とされており、その後、別の（「ターゲット」）システムにおいてアクセスを実行するために、専用のシグナリングによって指示される。いくつかの実施形態では、ソース・システムは、ＬＴＥシステムでありうる。そして、ターゲット・システムは、例えばＵＭＴＳまたはＧＳＭのような別のアクセス技術のシステムでありうる。そして、この特化されたシグナリングは、ターゲット・システムへの移動と、ターゲット・システムにおいて接続状態またはアクティブ状態に入るためのランダム・アクセス手順の実行とを行うようにＵＥに対して指示する効果を有するパラメータを備えるリダイレクション・メッセージでありうる。
【００８４】
アクセス試行のターゲット・システムによって、高優先度として取り扱うことを容易にするために、ソース・システムから送信されたリダイレクション・メッセージは、アクセス試行の取り扱いに影響を与えるある追加のパラメータを含みうる。
【００８５】
例えば、リダイレクション・メッセージは、ターゲット・システムにおいてＵＥによって使用されるべきアクセス・クラスまたはアクセス・サービス・クラスを示すインジケーションを含みうる。このようなクラスは、多くのセルラ技術において存在し、（例えば、アクセス・サービス・クラスを、ＵＭＴＳ内の特定のＲＡＣＨリソースにマップすることによって）特定のラジオ・リソースへアクセス試行を割り当てること、または、あるアクセス・クラスを持つＵＥが、例えばアクセス・クラス除外のような制約をバイパスすることを許可すること、の効果を有しうる。
【００８６】
従来、これらのクラスは、特定のＵＥによって静的に関連付けられうるか、および／または、サービス提供ネットワーク（すなわち、本明細書におけるターゲット・ネットワークに対応して使用されるであろうものと同じネットワーク）によって割り当てられうる。しかしながら、本明細書における教示にしたがって、ソース・システムによって割り当てられたクラス（単数または複数）は、ターゲット・システム内のＵＥに関連付けられたクラス（単数または複数）を決定するための通常の方法に重なるように構成されうる。
【００８７】
いくつかの実施では、リダイレクション・メッセージは、ターゲット・システムにおけるアクセス試行の一部として配信されるべき原因値（例えば、ＵＭＴＳシステムにおける情報要素「確立原因」（Establishment cause）において使用されるべき値）を備えうる。このような値は、ターゲット・システムによって究極的に定義されたセマンティクス（semantics ）を有しうるが、ソース・システムによって、オーバ・ザ・エアで、ＵＥへ配信されるだろう。さまざまな値が使用されうるだろう。これは、異なるタイプの優先付けられたアクセスについて、複数の原因値を使用する可能性を含む。例えば、ソース・ネットワークは、いくつかのＵＥに対しては、ターゲット・システムにおけるアクセス試行が緊急コールとして識別されねばならないことを、他のＵＥに対しては、ターゲット・システムにおけるアクセス試行が高い優先度のシグナリング要求として識別されねばならないことを、示しうる。優先付けされた異なるグループのユーザを区分するために、（例えば、緊急応答者のために、ある値、オペレータ従事者のために、別の値のような）さまざまな値が使用されうる（緊急応答者とオペレータ従事者はともに、多くの状況において優先度が与えられているが、ターゲット・システムによって、互いに識別可能でなければならない）。
【００８８】
記載されたケースの何れかでは、リダイレクション・メッセージによって伝送されるパラメータを設定するための関連するポリシーおよび適切な値は、例えば、相互作用インタフェースを用いることによって、ターゲット・ネットワークによってソース・ネットワークへ提供されうる。例えば、ターゲット・ネットワークは、優先付けられたさまざまなクラスのＣＳフォールバックのために使用されるべき１または複数の原因値を、ソース・ネットワークに提供しうる。
【００８９】
図９Ａは、本明細書に記載されたアクセス制御動作を実行するために、例えば、アクセス端末９０２およびネットワーク・エンティティ９０４（例えば、モビリティ・マネジャ）のようなノードへ組み込まれうるいくつかのサンプル構成要素を例示する。記載された構成要素はまた、通信システム内のさまざまなノード内に組み込まれうる。例えば、ネットワーク・エンティティ９０４のために記載された構成要素は、ソース関連動作および／またはターゲット関連動作を提供するために適用されうる。所与のノードは、記載された構成要素のうちの１または複数を備えうる。例えば、アクセス端末は、アクセス端末が、異なる技術を用いて通信することを可能にする複数の送信機構成要素および受信機構成要素を備えうる。
【００９０】
図９Ａに図示されるように、アクセス端末９０２およびネットワーク・エンティティ９０４は、他のノードと通信するための送信機および受信機を含む。アクセス端末９０２は、（例えば、メッセージおよびパラメータのような）信号を送信する無線送信機９０６と、信号を受信する受信機９０８とを含む。同様に、ネットワーク・エンティティ９０４は、（例えば、有線ベースのリンクまたは無線リンクによって、）信号を送信するための送信機９１０と、信号を受信するための受信機９１２とを含む。
【００９１】
アクセス端末９０２およびネットワーク・エンティティ９０４はまた、本明細書に記載されたような、アクセス優先度関連の動作と連携して使用されうるその他の構成要素をも含みうる。例えば、アクセス端末９０２およびネットワーク・エンティティ９０４は、本明細書に記載されたように、他のノードとの通信を管理（例えば、メッセージおよびパラメータをフォーマット、処理、および受信）するため、および、その他の関連する機能を提供するための通信コントローラ９１４，９１６を含みうる。さらに、アクセス端末９０２およびネットワーク・エンティティ９０４は、（例えば、ソース関連動作またはターゲット関連動作のような）ネットワーク・エンティティによって実行される動作に依存して、アクセス優先度関連の動作を実行すること（例えば、アクセス・パラメータを送信および受信すること、アクセス端末アクセスのためのリソースを割り当てるためにアクセス・パラメータを用いること、アクセスを制御すること等）、および、本明細書に記載されたその他の関連機能を提供すること、のためのアクセス・コントローラ９１８，９２０を含みうる。
【００９２】
いくつかの実施では、図９Ａの構成要素が、（この機能を提供するためにプロセッサ（単数または複数）によって使用される情報またはコードを格納するためのデータ・メモリを用いる、および／または、組み込む）例えば１または複数のプロセッサを備える処理システムにおいて実現されうる。例えば、ブロック９１４，９１８の機能（および、潜在的に、ブロック９０６，９０８の機能のうちの１または複数）は、（例えば、適切なコードの実行によって、および／または、プロセッサ構成要素の適切な設定によって）アクセス端末のプロセッサ（単数または複数）およびアクセス端末のメモリによって実現されうる。同様に、ブロック９１６，９２０の機能（および、潜在的に、ブロック９１０，９１２の機能のうちの１または複数）は、（例えば、適切なコードの実行によって、および／または、プロセッサ構成要素の適切な設定によって）ネットワーク・エンティティのプロセッサ（単数または複数）およびネットワーク・エンティティのデータ・メモリによって実現されうる。
【００９３】
図９Ｂは、本開示の態様にしたがう、処理システム９５６およびメモリ９５８を適用する装置９５０のハードウェア実装の実施形態を例示する図解である。さまざまな実施において、この装置９５０は、図１の無線通信デバイスのうちの１または複数の例を備える。図９Ｂに示すように、無線通信デバイス９５０は、例えば（図示しない）受信アンテナから信号を受信し、受信した信号について動作（例えば、フィルタ、増幅、ダウンコンバート等）を実行し、これら調整された信号をデジタル化してサンプルを得る受信機９５２を備える。受信機９５２は、受信したシンボルを復調し、これらをチャネル推定のために処理システム９５６へ提供する復調器９５４を備えうる。処理システム９５６は、受信機９５２によって受信された情報を分析、および／または、送信機９７０による送信のための情報を生成するように構成された１または複数のプロセッサを備えうる。送信機９７０は、処理システム９５６によって提供される送信のシンボルを変調しうる変調器９６８を利用しうる。実施では、処理システム９５６は、無線通信デバイス９５０のうちの１または複数の構成要素を制御するように構成された１または複数のプロセッサを備えうる。別の実施では、処理システム９５６は、受信機９５２によって受信された情報の分析、送信機９７０による送信のための情報の生成、および／または、無線通信デバイス９５０の１または複数の構成要素の制御、を行うように構成された１または複数のプロセッサを備えうる。
【００９４】
無線通信デバイス９５０は、プロセッサ９５６に動作可能に接続されたメモリ９５８を備えうる。このメモリ９５８は、送信されるべきデータと、受信したデータと、利用可能なチャネルに関連する情報と、分析された信号および／または干渉強度に関連付けられたデータと、割り当てられたチャネル、電力、レート等に関連する情報と、チャネルの推定およびチャネルを介した通信のために適切なその他任意の情報とを格納するように構成されうる。このメモリ９５８はさらに、（例えば、パフォーマンス・ベース、キャパシティ・ベース等での）チャネルの推定および／または利用に関連付けられたアルゴリズムおよび／またはプロトコルを格納しうる。
【００９５】
さらに、プロセッサ９５６は、第１のネットワークからデバイスへメッセージを提供する手段を提供しうる。このメッセージは、第２のネットワークへのアクセスのための１または複数のパラメータを備える。プロセッサ９５６は、第１のネットワークによって提供された１または複数のパラメータに基づいて、デバイスに対して、第１のネットワークから第２のネットワークへ切り換わるように指示する手段と、第１のネットワークによって提供された１または複数のパラメータに基づいて、デバイスに対して、第２のネットワークにおいてランダム・アクセスを実行するように指示する手段と、を提供しうる。
【００９６】
本明細書に記載されたデータ・ストア（例えば、メモリ９５８）は、揮発性メモリまたは不揮発性メモリでありうるか、または、揮発性メモリと不揮発性メモリとの両方を含みうることが認識されるべきである。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、またはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ９５８は、限定される訳ではないが、これらおよびその他任意の適切なタイプのメモリを備えうる。
【００９７】
実施では、無線通信デバイス９５０は、本開示の態様を実行するように構成された１または複数のモジュール９８０ａ，９８０ｂ，９８０ｃを含みうる。例えば、無線通信デバイス９５０は、第１のネットワークからデバイスへメッセージを提供するように構成されたモジュール９８０ａを含みうる。このメッセージは、第２のネットワークへのアクセスのための１または複数のパラメータを備える。無線通信デバイス９５０は、第１のネットワークによって提供された１または複数のパラメータに基づいて、デバイスに対して、第１のネットワークから第２のネットワークへ切り換わるように指示するように構成されたモジュール９８０ｂを含みうる。無線通信デバイス９５０は、第１のネットワークによって提供された１または複数のパラメータに基づいて、デバイスに対して、第２のネットワークにおいてランダム・アクセスを実行するように指示するように構成されたモジュール９８０ｃを含みうる。この無線通信デバイス９５０は、前述したフロー・チャートにおけるステップのおのおのを実行するように構成されたモジュールを含みうる。このため、前述したフロー・チャートのおのおののステップは、モジュールによって実行され、無線通信デバイス９５０は、これらモジュールのうちの１または複数を含みうる。
【００９８】
実施では、無線通信デバイス９５０は、ユーザ・インタフェース９９０を含みうる。ユーザ・インタフェース９９０は、無線通信デバイス９５０への入力を生成するための入力メカニズム９９２と、無線通信デバイス９５０のユーザによって使用される情報を生成するための出力メカニズム９９４とを含みうる。例えば、入力メカニズム９９２は、例えばキーまたはキーボード、マウス、タッチ・スクリーン・ディスプレイ、マクロフォン等のようなメカニズムを含みうる。例では、出力メカニズム９９４は、ディスプレイ、オーディオ・スピーカ、触覚型フィードバック・メカニズム、パーソナル・エリア・ネットワーク（ＰＡＮ）トランシーバ等を含みうる。例示された実施形態では、出力メカニズム９９４は、画像フォーマットまたはビデオ・フォーマットであるメディア・コンテンツを提供するように動作可能なディスプレイ、または、オーディオ・フォーマットであるメディア・コンテンツを提供するためのオーディオ・スピーカを含みうる。
【００９９】
図１０は、本開示の態様にしたがって、無線通信システムにおいてネットワーク・アクセス・パラメータを利用する方法のための処理フローの実施形態を例示する図解１０００である。
【０１００】
図１０に示すように、この方法は、１０１０において、第１のネットワークからデバイスへメッセージを提供するように構成されている。このメッセージは、第２のネットワークへのアクセスのための１または複数のパラメータを備える。この方法は、１０１２において、第１のネットワークによって提供された１または複数のパラメータに基づいて、デバイスに対して、第１のネットワークから第２のネットワークへ切り換わるように指示するように構成されている。この方法は、１０１４において、第１のネットワークによって提供された１または複数のパラメータに少なくとも部分的に基づいて、デバイスに対して、第２のネットワークにおいてランダム・アクセスを実行するように指示するように構成されている。実施では、１または複数のパラメータは、第２のネットワークにおいてランダム・アクセスを実行するための優先度パラメータを備えうる。
【０１０１】
実施では、このメッセージは、デバイスに対して、第１のネットワークから第２のネットワークへ切り換わるように指示する１または複数のパラメータを有するリダイレクション・メッセージを備えうる。優先度パラメータは、第２のネットワークにおいてランダム・アクセスを実行することが、第２のネットワークにおいて別のランダム・アクセスを実行することよりも高い優先度を備えていることを示すインジケーションを提供しうる。優先度パラメータは、第２のネットワークにおいてランダム・アクセスを実行することが、アクセス・クラス除外を無視することと、別のアクセス・クラスを適用することとのうちの少なくとも１つを備えることを示すインジケーションを提供しうる。優先度パラメータは、第２のネットワークにおいてランダム・アクセスを実行することが、第２のネットワークがランダム・アクセスを試みることの優先付けにおいて使用しうるパラメータを配信することを備えていることを示すインジケーションを備えうる。第１のネットワークによって提供される１または複数のパラメータは、アクセス・クラス・パラメータとアクセス・サービス・クラス・パラメータとのうちの少なくとも１つを備えうる。第１のネットワークによって提供される１または複数のパラメータは、確立原因パラメータを備えうる。第１のネットワークによって提供される１または複数のパラメータは、第２のネットワークによって第１のネットワークへ提供される１または複数の値を含みうる。メッセージはさらに、パラメータとデバイスとの間の１または複数の関連付けを備えうる。パラメータとデバイスとの間の１または複数の関連付けは、デバイスが、別のアクセス・クラスの使用を一時的に許可するか否かを示すインジケーションを提供しうる。第１のネットワークによって提供される１または複数のパラメータは、第２のネットワークにおけるランダム・アクセスのために、デバイスによって使用されるラジオ・リソースに影響を与えうる。第１のネットワークは、ロング・ターム・イボリューション（ＬＴＥ）ベースのネットワークを備えうる。第２のネットワークは、ユニバーサル・モバイル・テレコミュニケーション・システム（ＵＭＴＳ）ベースのネットワークまたはグローバル移動体通信システム（ＧＳＭ）ベースのネットワークを備えうる。
【０１０２】
図１１は、本開示の態様にしたがって、無線通信システムにおいてネットワーク・アクセス・パラメータを利用するように構成された装置（例えば、図９Ｂの装置９５０）の機能の実施形態を例示する図解１１００である。
【０１０３】
図１１に示すように、この装置は、第１のネットワークからデバイスへメッセージを提供するように構成されたモジュール１１１０を含む。このメッセージは、第２のネットワークへのアクセスのための１または複数のパラメータを備える。この装置は、第１のネットワークによって提供された１または複数のパラメータに基づいて、デバイスに対して、第１のネットワークから第２のネットワークへ切り換わるように指示するように構成されたモジュール１１１２を含む。この装置は、第１のネットワークによって提供された１または複数のパラメータに少なくとも部分的に基づいて、デバイスに対して、第２のネットワークにおいてランダム・アクセスを実行するように指示するように構成されたモジュール１１１４を含む。実施では、１または複数のパラメータは、第２のネットワークにおいてランダム・アクセスを実行するための優先度パラメータを備えうる。この装置は、前述したフロー・チャートにおけるステップのおのおのを実行する追加のモジュールを含みうる。このため、前述したフロー・チャートのおのおののステップは、モジュールによって実行され、装置は、これらのモジュールのうちの１または複数を含みうる。
【０１０４】
実施では、メッセージは、デバイスに対して、第１のネットワークから第２のネットワークへ切り換わるように指示する１または複数のパラメータを有するリダイレクション・メッセージを備えうる。優先度パラメータは、第２のネットワークにおいてランダム・アクセスを実行することが、第２のネットワークにおいて別のランダム・アクセスを実行することよりも高い優先度を備えていることを示すインジケーションを提供しうる。この優先度パラメータは、第２のネットワークにおいてランダム・アクセスを実行することが、アクセス・クラス除外を無視することと、別のアクセス・クラスを適用することとのうちの少なくとも１つを備えることを示すインジケーションを提供しうる。優先度パラメータは、第２のネットワークにおいてランダム・アクセスを実行することが、第２のネットワークがランダム・アクセスを試みることの優先付けにおいて使用しうるパラメータを配信すること備えていることを示すインジケーションを備えうる。第１のネットワークによって提供される１または複数のパラメータは、アクセス・クラス・パラメータとアクセス・サービス・クラス・パラメータとのうちの少なくとも１つを備えうる。第１のネットワークによって提供される１または複数のパラメータは、確立原因パラメータを備えうる。第１のネットワークによって提供される１または複数のパラメータは、第２のネットワークによって第１のネットワークへ提供される１または複数の値を含みうる。メッセージはさらに、パラメータとデバイスとの間の１または複数の関連付けを備えうる。パラメータとデバイスとの間の１または複数の関連付けは、デバイスが、別のアクセス・クラスの使用を一時的に許可するか否かを示すインジケーションを提供しうる。第１のネットワークによって提供される１または複数のパラメータは、第２のネットワークにおけるランダム・アクセスのために、デバイスによって使用されるラジオ・リソースに影響を与えうる。第１のネットワークは、ロング・ターム・イボリューション（ＬＴＥ）ベースのネットワークを備えうる。第２のネットワークは、ユニバーサル・モバイル・テレコミュニケーション・システム（ＵＭＴＳ）ベースのネットワークまたはグローバル移動体通信システム（ＧＳＭ）ベースのネットワークを備えうる。
【０１０５】
図９Ｂに示すように、無線通信のために構成された装置９５０は、構成において、第１のネットワークからデバイスへメッセージを提供する手段を提供するように構成された処理システム９５６を備える。このメッセージは、第２のネットワークへのアクセスのための１または複数のパラメータを備える。処理システム９５６は、第１のネットワークによって提供された１または複数のパラメータに基づいて、デバイスに対して、第１のネットワークから第２のネットワークへ切り換わるように指示する手段を提供するように構成される。処理システム９５６は、第１のネットワークによって提供された１または複数のパラメータに少なくとも部分的に基づいて、デバイスに対して、第２のネットワークにおいてランダム・アクセスを実行するように指示する手段を提供するように構成される。実施では、１または複数のパラメータは、第２のネットワークにおいてランダム・アクセスを実行するための優先度パラメータを備えうる。
【０１０６】
実施では、このメッセージは、デバイスに対して第１のネットワークから第２のネットワークへ切り換わるように指示する１または複数のパラメータを有するリダイレクション・メッセージを備えうる。優先度パラメータは、第２のネットワークにおいてランダム・アクセスを実行することが、第２のネットワークにおいて別のランダム・アクセスを実行することよりも高い優先度を備えていることを示すインジケーションを提供しうる。優先度パラメータは、第２のネットワークにおいてランダム・アクセスを実行することが、アクセス・クラス除外を無視することと、別のアクセス・クラスを適用することとのうちの少なくとも１つを備えることを示すインジケーションを提供しうる。優先度パラメータは、第２のネットワークにおいてランダム・アクセスを実行することが、第２のネットワークがランダム・アクセスを試みることの優先付けにおいて使用しうるパラメータを配信すること備えていることを示すインジケーションを備えうる。第１のネットワークによって提供される１または複数のパラメータは、アクセス・クラス・パラメータとアクセス・サービス・クラス・パラメータとのうちの少なくとも１つを備えうる。第１のネットワークによって提供される１または複数のパラメータは、確立原因パラメータを備えうる。第１のネットワークによって提供される１または複数のパラメータは、第２のネットワークによって第１のネットワークへ提供される１または複数の値を含みうる。メッセージはさらに、パラメータとデバイスとの間の１または複数の関連付けを備えうる。パラメータとデバイスとの間の１または複数の関連付けは、デバイスが、別のアクセス・クラスの使用を一時的に許可するか否かを示すインジケーションを提供しうる。第１のネットワークによって提供される１または複数のパラメータは、第２のネットワークにおけるランダム・アクセスのために、デバイスによって使用されるラジオ・リソースに影響を与えうる。第１のネットワークは、ロング・ターム・イボリューション（ＬＴＥ）ベースのネットワークを備えうる。第２のネットワークは、ユニバーサル・モバイル・テレコミュニケーション・システム（ＵＭＴＳ）ベースのネットワークまたはグローバル移動体通信システム（ＧＳＭ）ベースのネットワークを備えうる。
【０１０７】
本明細書に記載された教示は、さまざまな装置（例えば、ノード）へ組み込まれうる（例えば、これら装置によって実行されるか、これら装置内で実施される）。いくつかの態様では、本明細書における教示したがって実現されるノード（例えば、無線ノード）は、アクセス・ポイントまたはアクセス端末を備えうる。
【０１０８】
例えば、アクセス端末は、ユーザ機器、加入者局、加入者ユニット、移動局、モバイル、モバイル・ノード、遠隔局、遠隔端末、ユーザ端末、ユーザ・エージェント、ユーザ・デバイス、または、その他いくつかの用語を備えうるか、これらとして実施されうるか、これらとして知られうる。いくつかの実施において、アクセス端末は、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽デバイス、ビデオ・デバイス、または衛星ラジオ）、全地球測位システム・デバイス、あるいは無線媒体によって通信するように構成されたその他任意の適切なデバイスに組み入れられうる。
【０１０９】
アクセス・ポイントは、ノードＢ、ｅノードＢ、ラジオ・ネットワーク・コントローラ（ＲＮＣ）、基地局（ＢＳ）、ラジオ基地局（ＲＢＳ）、基地局コントローラ（ＢＳＣ）、基地トランシーバ局（ＢＴＳ）、トランシーバ機能（ＴＦ）、トランシーバ、ラジオ・ルータ、基本サービス・セット（ＢＳＳ）、拡張サービス・セット（ＥＳＳ）、マクロ・セル、マクロ・ノード、ホームｅＮＢ（ＨｅＮＢ）、フェムト・セル、フェムト・ノード、ピコ・ノード、またはその他いくつかの類似の用語を備えうるか、これらとして実施されうるか、これらとして知られうる。
【０１１０】
いくつかの態様では、ノード（例えば、アクセス・ポイント）は、通信システムのためのアクセス・ノードを備えうる。このようなアクセス・ノードは、例えば、インターネットへの有線または無線による通信リンクによる（例えば、インターネットまたはセルラ・ネットワークのような広域ネットワークのような）ネットワークへの、または、ネットワーへのための接続を提供しうる。したがって、アクセス・ノードは、（例えば、アクセス端末のような）他のノードが、ネットワークまたはその他いくつかの機能へアクセスすることを可能にしうる。さらに、これらノードのうちの１つまたは両方が、ポータブルでありうるか、あるいは、いくつかの場合においては、比較的非ポータブルでありうることが認識されるべきである。
【０１１１】
また、無線ノードは、非無線方式で（例えば、有線接続によって）情報を送信および／または受信することができうることが認識されるべきである。したがって、本明細書において説明される受信機および送信機は、非無線媒体を介して通信するのに適切な通信インタフェース構成要素（例えば、電気的または光学的なインタフェース構成要素）を含みうる。
【０１１２】
無線ノードは、任意の適切な無線通信技術に基づくか、あるいはサポートする１または複数の無線通信リンクによって通信しうる。例えば、いくつかの態様では、無線ノードは、ネットワークに関連付けられうる。いくつかの態様では、ネットワークは、ローカル・エリア・ネットワークまたは広域ネットワークを備えうる。無線デバイスは、（例えば、ＣＤＭＡ、ＴＤＭＡ、ＯＦＤＭ、ＯＦＤＭＡ、Ｗｉ−Ｆｉ、ＷｉＭＡＸ等のように）本明細書で記載されたさまざまな無線通信技術、プロトコル、または規格のうちの１または複数をサポートまたは使用しうる。同様に、無線ノードは、対応するさまざまな変調スキームまたは多重化スキームのうちの１または複数のサポートまたは使用しうる。無線ノードは、前述した、または、その他の無線通信技術を用いる１または複数の無線通信リンクを確立し、通信するための適切な構成要素（例えば、エア・インタフェース）を含みうる。例えば、無線ノードは、無線媒体による通信を容易にするさまざまな構成要素（例えば、信号生成器および信号プロセッサ）を含みうる送信機構成要素および受信機構成要素に関連付けられた無線トランシーバを備えうる。
【０１１３】
（例えば、添付図面のうちの１または複数に関連して）本明細書に記載された機能は、いくつかの態様において、特許請求の範囲において同様に指定された「〜する手段」（means for）に対応しうる。この機能は、本明細書における教示と一貫したさまざまな方式で実現されうる。いくつかの態様では、この機能は、１または複数の電子構成要素として実現されうる。いくつかの態様では、この機能は、１または複数のプロセッサ構成要素を含む処理システムとして実現されうる。いくつかの態様では、この機能は、例えば、１または複数の集積回路（例えば、ＡＳＩＣ）の少なくとも一部を用いて実現されうる。本明細書で議論されるように、集積回路は、プロセッサ、ソフトウェア、その他関連する構成要素、あるいはこれらのある組み合わせを含みうる。この機能はまた、本明細書に記載されたものとは別のいくつかの方式でも実現されうる。
【０１１４】
本明細書において、例えば、「第１の」、「第２の」等のような指定を用いた要素に対するいずれの参照も、一般に、これら要素の数も順序も限定しないことが理解されるべきである。むしろ、これら指定は、本明細書において、複数の要素または要素の事例を区別する従来の方法として使用されうる。したがって、第１の要素および第２の要素への参照は、２つのみの要素しか適用されていないことも、第１の要素が、ある方式において、第２の要素に先行することも意味していない。特に述べられていないのであれば、これら要素のセットは、１または複数の要素を備えうる。詳細説明または特許請求の範囲で使用される「Ａ、Ｂ、またはＣのうちの少なくとも１つ」という形式の用語は、「ＡまたはＢまたはＣまたはこれら要素の任意の組み合わせ」を意味する。
【０１１５】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【０１１６】
当業者であればさらに、本明細書で開示された態様に関連して記載されたさまざまな論理ブロック、モジュール、プロセッサ、手段、回路、およびアルゴリズム・ステップのうちの何れも、電子ハードウェア（例えば、デジタル実装、アナログ実装、あるいは、ソース・コーディングまたはその他いくつかの技術を用いて設計されうるこれら２つの組み合わせ）、命令群を組み込んだプログラムまたは設計コードからなるさまざまな形態（本明細書では、便宜上、「ソフトウェア」または「ソフトウェア・モジュール」として称されうる）、またはこれらの組み合わせとして実現されうることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうるものの、この適用判断は、本発明の範囲からの逸脱をもたらすものと解釈されるべきではないことが認識されるべきである。
【０１１７】
本明細書に開示された態様に関して記載されたさまざまな例示的な論理ブロック、モジュール、回路は、集積回路（ＩＣ）、アクセス端末、またはアクセス・ポイント内に実装されるか、あるいは、これらによって実現されうる。ＩＣは、汎用プロセッサ、デジタル信号プロセッサ（ＤＳＰ）、特定用途向けＩＣ（ＡＳＩＣ）、フィールド・プログラム可能ゲート・アレイ（ＦＰＧＡ）またはその他のプログラム可能な論理デバイス、ディスクリート・ゲートまたはトランジスタ・ロジック、ディスクリート・ハードウェア構成要素、電子構成要素、光学構成要素、機械的構成要素、あるいは、本明細書に記載された機能を実行するように設計されたこれらの任意の組み合わせを備え、ＩＣの内部、ＩＣの外部、またはその両方に存在するコードまたは命令群を実行しうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【０１１８】
開示された任意の処理におけるステップの具体的な順序または階層は、サンプル・アプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【０１１９】
開示された態様の前述された記載は、いかなる当業者であっても、本開示を製造または使用できるようにするために適用される。これらの態様へのさまざまな変形は、当業者に容易に明らかであって、本明細書で定義された一般的な原理は、本開示の範囲から逸脱することなく、他の態様に適用されうる。このように、本開示は、本明細書で示された態様に限定されるものではなく、本明細書で開示された原理および新規な特徴と一致した最も広い範囲に相当することが意図されている。
以下に、本願出願の当初の特許請求の範囲に記載された発明を付記する。
［１］  無線通信のための方法であって、
第１のネットワークからデバイスへメッセージを提供することと、ここで、前記メッセージは、第２のネットワークへのアクセスのための１または複数のパラメータを備える、
前記第１のネットワークによって提供された前記１または複数のパラメータに基づいて、前記デバイスに対して、前記第１のネットワークから前記第２のネットワークへ切り換わるように指示することと、
前記第１のネットワークによって提供された前記１または複数のパラメータに少なくとも部分的に基づいて、前記デバイスに対して、前記第２のネットワークにおいてランダム・アクセスを実行するように指示することと、ここで、前記１または複数のパラメータは、前記第２のネットワークにおいてランダム・アクセスを実行するための優先度パラメータを備える、
を備える方法。
［２］  前記メッセージは、前記デバイスに対して、前記第１のネットワークから前記第２のネットワークへ切り換わるように指示する、前記１または複数のパラメータを有するリダイレクション・メッセージを備える、［１］に記載の方法。
［３］  前記優先度パラメータは、前記第２のネットワークにおいてランダム・アクセスを実行することが、前記第２のネットワークにおいて別のランダム・アクセスを実行することよりも高い優先度を備えていることを示すインジケーションを提供する、［１］に記載の方法。
［４］  前記優先度パラメータは、前記第２のネットワークにおいてランダム・アクセスを実行することが、アクセス・クラス除外を無視することと、別のアクセス・クラスを適用することとのうちの少なくとも１つを備えることを示すインジケーションを提供する、［１］に記載の方法。
［５］  前記優先度パラメータは、前記第２のネットワークにおいてランダム・アクセスを実行することが、前記第２のネットワークがランダム・アクセスを試みることの優先付けにおいて使用しうるパラメータを配信すること備えていることを示すインジケーションを提供する、［１］に記載の方法。
［６］  前記第１のネットワークによって提供された前記１または複数のパラメータは、アクセス・クラス・パラメータとアクセス・サービス・クラス・パラメータとのうちの少なくとも１つを備える、［１］に記載の方法。
［７］  前記第１のネットワークによって提供された前記１または複数のパラメータは、確立原因パラメータを備える、［１］に記載の方法。
［８］  前記第１のネットワークによって提供された前記１または複数のパラメータは、前記第２のネットワークによって前記第１のネットワークへ提供される１または複数の値を含む、［１］に記載の方法。
［９］  前記メッセージはさらに、前記パラメータと前記デバイスとの間の１または複数の関連付けを備える、［１］に記載の方法。
［１０］  前記パラメータとデバイスとの間の１または複数の関連付けは、前記デバイスが、別のアクセス・クラスの使用を一時的に許可するか否かを示すインジケーションを提供する、［９］に記載の方法。
［１１］  前記第１のネットワークによって提供された前記１または複数のパラメータは、前記第２のネットワークにおけるランダム・アクセスのために、前記デバイスによって使用されるラジオ・リソースに影響を与える、［１］に記載の方法。
［１２］  前記第１のネットワークは、ロング・ターム・イボリューション（ＬＴＥ）ベースのネットワークを備える、［１］に記載の方法。
［１３］  前記第２のネットワークは、ユニバーサル・モバイル・テレコミュニケーション・システム（ＵＭＴＳ）ベースのネットワークまたはグローバル移動体通信システム（ＧＳＭ）ベースのネットワークを備える、［１］に記載の方法。
［１４］  無線通信のための装置であって、
第１のネットワークからデバイスへメッセージを提供することと、ここで、前記メッセージは、第２のネットワークへのアクセスのための１または複数のパラメータを備える、
前記第１のネットワークによって提供された前記１または複数のパラメータに基づいて、前記デバイスに対して、前記第１のネットワークから前記第２のネットワークへ切り換わるように指示することと、
前記第１のネットワークによって提供された前記１または複数のパラメータに少なくとも部分的に基づいて、前記デバイスに対して、前記第２のネットワークにおいてランダム・アクセスを実行するように指示することと、ここで、前記１または複数のパラメータは、前記第２のネットワークにおいてランダム・アクセスを実行するための優先度パラメータを備える、
を行うように構成されたプロセッサ・システム、を備える装置。
［１５］  前記メッセージは、前記デバイスに対して、前記第１のネットワークから前記第２のネットワークへ切り換わるように指示する、前記１または複数のパラメータを有するリダイレクション・メッセージを備える、［１４］に記載の装置。
［１６］  前記優先度パラメータは、前記第２のネットワークにおいてランダム・アクセスを実行することが、前記第２のネットワークにおいて別のランダム・アクセスを実行することよりも高い優先度を備えていることを示すインジケーションを提供する、［１４］に記載の装置。
［１７］  前記優先度パラメータは、前記第２のネットワークにおいてランダム・アクセスを実行することが、アクセス・クラス除外を無視することと、別のアクセス・クラスを適用することとのうちの少なくとも１つを備えることを示すインジケーションを提供する、［１４］に記載の装置。
［１８］  前記優先度パラメータは、前記第２のネットワークにおいてランダム・アクセスを実行することが、前記第２のネットワークがランダム・アクセスを試みることの優先付けにおいて使用しうるパラメータを配信すること備えていることを示すインジケーションを提供する、［１４］に記載の装置。
［１９］  前記第１のネットワークによって提供された前記１または複数のパラメータは、アクセス・クラス・パラメータとアクセス・サービス・クラス・パラメータとのうちの少なくとも１つを備える、［１４］に記載の装置。
［２０］  前記第１のネットワークによって提供された前記１または複数のパラメータは、確立原因パラメータを備える、［１４］に記載の装置。
［２１］  前記第１のネットワークによって提供された前記１または複数のパラメータは、前記第２のネットワークによって前記第１のネットワークへ提供される１または複数の値を含む、［１４］に記載の装置。
［２２］  前記メッセージはさらに、前記パラメータと前記デバイスとの間の１または複数の関連付けを備える、［１４］に記載の装置。
［２３］  前記パラメータとデバイスとの間の１または複数の関連付けは、前記デバイスが、別のアクセス・クラスの使用を一時的に許可するか否かを示すインジケーションを提供する、［２２］に記載の装置。
［２４］  前記第１のネットワークによって提供された前記１または複数のパラメータは、前記第２のネットワークにおけるランダム・アクセスのために、前記デバイスによって使用されるラジオ・リソースに影響を与える、［１４］に記載の装置。
［２５］  前記第１のネットワークは、ロング・ターム・イボリューション（ＬＴＥ）ベースのネットワークを備える、［１４］に記載の装置。
［２６］  前記第２のネットワークは、ユニバーサル・モバイル・テレコミュニケーション・システム（ＵＭＴＳ）ベースのネットワークまたはグローバル移動体通信システム（ＧＳＭ）ベースのネットワークを備える、［１４］に記載の装置。
［２７］  無線通信のための装置であって、
第１のネットワークからデバイスへメッセージを提供する手段と、ここで、前記メッセージは、第２のネットワークへのアクセスのための１または複数のパラメータを備える、
前記第１のネットワークによって提供された前記１または複数のパラメータに基づいて、前記デバイスに対して、前記第１のネットワークから前記第２のネットワークへ切り換わるように指示する手段と、
前記第１のネットワークによって提供された前記１または複数のパラメータに少なくとも部分的に基づいて、前記デバイスに対して、前記第２のネットワークにおいてランダム・アクセスを実行するように指示する手段と、ここで、前記１または複数のパラメータは、前記第２のネットワークにおいてランダム・アクセスを実行するための優先度パラメータを備える、
を備える装置。
［２８］  前記メッセージは、前記デバイスに対して、前記第１のネットワークから前記第２のネットワークへ切り換わるように指示する、前記１または複数のパラメータを有するリダイレクション・メッセージを備える、［２７］に記載の装置。
［２９］  前記優先度パラメータは、前記第２のネットワークにおいてランダム・アクセスを実行することが、前記第２のネットワークにおいて別のランダム・アクセスを実行することよりも高い優先度を備えていることを示すインジケーションを提供する、［２７］に記載の装置。
［３０］  前記優先度パラメータは、前記第２のネットワークにおいてランダム・アクセスを実行することが、アクセス・クラス除外を無視することと、別のアクセス・クラスを適用することとのうちの少なくとも１つを備えることを示すインジケーションを提供する、［２７］に記載の装置。
［３１］  前記優先度パラメータは、前記第２のネットワークにおいてランダム・アクセスを実行することが、前記第２のネットワークがランダム・アクセスを試みることの優先付けにおいて使用しうるパラメータを配信すること備えていることを示すインジケーションを提供する、［２７］に記載の装置。
［３２］  前記第１のネットワークによって提供された前記１または複数のパラメータは、アクセス・クラス・パラメータとアクセス・サービス・クラス・パラメータとのうちの少なくとも１つを備える、［２７］に記載の装置。
［３３］  前記第１のネットワークによって提供された前記１または複数のパラメータは、確立原因パラメータを備える、［２７］に記載の装置。
［３４］  前記第１のネットワークによって提供された前記１または複数のパラメータは、前記第２のネットワークによって前記第１のネットワークへ提供される１または複数の値を含む、［２７］に記載の装置。
［３５］  前記メッセージはさらに、前記パラメータと前記デバイスとの間の１または複数の関連付けを備える、［２７］に記載の装置。
［３６］  前記パラメータとデバイスとの間の１または複数の関連付けは、前記デバイスが、別のアクセス・クラスの使用を一時的に許可するか否かを示すインジケーションを提供する、［３５］に記載の装置。
［３７］  前記第１のネットワークによって提供された前記１または複数のパラメータは、前記第２のネットワークにおけるランダム・アクセスのために、前記デバイスによって使用されるラジオ・リソースに影響を与える、［２７］に記載の装置。
［３８］  前記第１のネットワークは、ロング・ターム・イボリューション（ＬＴＥ）ベースのネットワークを備える、［２７］に記載の装置。
［３９］  前記第２のネットワークは、ユニバーサル・モバイル・テレコミュニケーション・システム（ＵＭＴＳ）ベースのネットワークまたはグローバル移動体通信システム（ＧＳＭ）ベースのネットワークを備える、［２７］に記載の装置。
［４０］  コンピュータ・プログラム製品であって、
第１のネットワークからデバイスへメッセージを提供することと、ここで、前記メッセージは、第２のネットワークへのアクセスのための１または複数のパラメータを備える、
前記第１のネットワークによって提供された前記１または複数のパラメータに基づいて、前記デバイスに対して、前記第１のネットワークから前記第２のネットワークへ切り換わるように指示することと、
前記第１のネットワークによって提供された前記１または複数のパラメータに少なくとも部分的に基づいて、前記デバイスに対して、前記第２のネットワークにおいてランダム・アクセスを実行するように指示することと、ここで、前記１または複数のパラメータは、前記第２のネットワークにおいてランダム・アクセスを実行するための優先度パラメータを備える、
を装置に対して行わせるように実行可能なコードを備えるコンピュータ読取可能な媒体、を備えるコンピュータ・プログラム製品。
［４１］  前記メッセージは、前記デバイスに対して、前記第１のネットワークから前記第２のネットワークへ切り換わるように指示する、前記１または複数のパラメータを有するリダイレクション・メッセージを備える、［４０］に記載のコンピュータ・プログラム製品。
［４２］  前記優先度パラメータは、前記第２のネットワークにおいてランダム・アクセスを実行することが、前記第２のネットワークにおいて別のランダム・アクセスを実行することよりも高い優先度を備えていることを示すインジケーションを提供する、［４０］に記載のコンピュータ・プログラム製品。
［４３］  前記優先度パラメータは、前記第２のネットワークにおいてランダム・アクセスを実行することが、アクセス・クラス除外を無視することと、別のアクセス・クラスを適用することとのうちの少なくとも１つを備えることを示すインジケーションを提供する、［４０］に記載のコンピュータ・プログラム製品。
［４４］  前記優先度パラメータは、前記第２のネットワークにおいてランダム・アクセスを実行することが、前記第２のネットワークがランダム・アクセスを試みることの優先付けにおいて使用しうるパラメータを配信すること備えていることを示すインジケーションを提供する、［４０］に記載のコンピュータ・プログラム製品。
［４５］  前記第１のネットワークによって提供された前記１または複数のパラメータは、アクセス・クラス・パラメータとアクセス・サービス・クラス・パラメータとのうちの少なくとも１つを備える、［４０］に記載のコンピュータ・プログラム製品。
［４６］  前記第１のネットワークによって提供された前記１または複数のパラメータは、確立原因パラメータを備える、［４０］に記載のコンピュータ・プログラム製品。
［４７］  前記第１のネットワークによって提供された前記１または複数のパラメータは、前記第２のネットワークによって前記第１のネットワークへ提供される１または複数の値を含む、［４０］に記載のコンピュータ・プログラム製品。
［４８］  前記メッセージはさらに、前記パラメータと前記デバイスとの間の１または複数の関連付けを備える、［４０］に記載のコンピュータ・プログラム製品。
［４９］  前記パラメータとデバイスとの間の１または複数の関連付けは、前記デバイスが、別のアクセス・クラスの使用を一時的に許可するか否かを示すインジケーションを提供する、［４８］に記載のコンピュータ・プログラム製品。
［５０］  前記第１のネットワークによって提供された前記１または複数のパラメータは、前記第２のネットワークにおけるランダム・アクセスのために、前記デバイスによって使用されるラジオ・リソースに影響を与える、［４０］に記載のコンピュータ・プログラム製品。
［５１］  前記第１のネットワークは、ロング・ターム・イボリューション（ＬＴＥ）ベースのネットワークを備える、［４０］に記載のコンピュータ・プログラム製品。
［５２］  前記第２のネットワークは、ユニバーサル・モバイル・テレコミュニケーション・システム（ＵＭＴＳ）ベースのネットワークまたはグローバル移動体通信システム（ＧＳＭ）ベースのネットワークを備える、［４０］に記載のコンピュータ・プログラム製品。
【図１】
0005623636.tif 000002
【図２】
0005623636.tif 000003
【図３】
0005623636.tif 000004
【図４Ａ】
0005623636.tif 000005
【図４Ｂ】
0005623636.tif 000006
【図４Ｃ】
0005623636.tif 000007
【図５】
0005623636.tif 000008
【図６】
0005623636.tif 000009
【図７】
0005623636.tif 000010
【図８】
0005623636.tif 000011
【図９Ａ】
0005623636.tif 000012
【図９Ｂ】
0005623636.tif 000013
【図１０】
0005623636.tif 000014
【図１１】
0005623636.tif 000015